(57)【特許請求の範囲】
【請求項１】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記光変調層の側面から前記光変調層に所定の色の光を入射する光源と、
を有し、
前記光変調層は、前記電場が生じていないときは前記光源から入射した入射光を透過し、前記電場が生じているときは前記入射光を散乱して前記透明基板に射出し、
前記電極は、表示領域を分割した分割領域を表示単位として、前記表示単位に前記電場を発生し、
前記光源は、それぞれ独立して動作して前記表示単位に異なる色の光を入射する複数の色光源を有し、
前記表示領域の色情報を取得し、前記色情報に基づいて前記表示単位ごとに、前記色情報に応じた前記色光源の点灯と、前記電極への電圧印加とを同期駆動する駆動部を有する、
表示装置。
【請求項２】
前記一対の透明基板は、前記光変調層側と反対の外面側が開放されており、
前記光変調層は、当該光変調層に前記電場が生じていないときは、前記透明基板と前記光変調層とを貫通する貫通方向の光を透過する透過性を備え、前記一対の透明基板の一方の外面側から入射した光を前記貫通方向に透過させ、前記一対の透明基板の他方の外面側に射出する、
請求項１に記載の表示装置。
【請求項３】
前記光源は、第１原色を発光する第１色光源と、第２原色を発光する第２色光源と、第３原色を発光する第３色光源と、を有し、
前記駆動部は、１画像表示フレームの期間に、前記表示単位ごとに、前記第１色光源を点灯して前記色情報に含まれる前記第１原色の色成分に応じた電圧を前記電極に印加し、前記第２色光源を点灯して前記色情報に含まれる前記第２原色の色成分に応じた電圧を前記電極に印加し、前記第３色光源を点灯して前記色情報に含まれる前記第３原色の色成分に応じた電圧を前記電極に印加する、
請求項１に記載の表示装置。
【請求項４】
前記駆動部は、前記色情報に含まれる色成分ごとに、
前記色成分に対応する前記色光源を点灯して前記光変調層の平面領域に前記色成分の光を入射するとともに、前記表示単位の電極への電圧印加を順次行う、
請求項１または３に記載の表示装置。
【請求項５】
前記駆動部は、前記色光源の光が入射する入射方向に沿って並ぶ前記表示単位を含む表示単位群ごとに、
前記色情報に含まれる色成分に対応する前記色光源を点灯して前記光変調層の前記表示単位群の領域に前記色成分の光を入射するとともに、前記表示単位群に含まれる前記表示単位の電極への電圧印加を順次行う、
請求項１または３に記載の表示装置。
【請求項６】
前記駆動部は、駆動対象である第１の表示単位群に隣接する第２の表示単位群に対応する前記光源を、前記第１の表示単位群と同じ色で点灯するか、または消灯する、
請求項５に記載の表示装置。
【請求項７】
前記電極は、前記一対の透明基板の一方の透明基板の平面内の一方向に延在する帯状形状を有する複数の第１電極と、前記一対の透明基板の他方の透明基板の平面内の前記第１電極が延在する方向と交差する方向に延在する帯状形状を有する複数の第２電極と、を有し、前記第１電極と前記第２電極とが交差する部分に前記表示単位が形成され、
前記駆動部は、前記第１電極と前記第２電極とを順次駆動する単純マトリクス駆動制御を行う、
請求項１乃至６のいずれかに記載の表示装置。
【請求項８】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記光変調層の側面から前記光変調層に所定の色の光を入射する光源と、
を有し、
前記光変調層は、前記電場が生じていないときは前記光源から入射した入射光を透過し、前記電場が生じているときは前記入射光を散乱して前記透明基板に射出し、
前記光源と前記光変調層との間に、前記光変調層に入射する前記光源の光の拡散を防止する入射光拡散防止部を備える、
表示装置。
【請求項９】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記光変調層の側面から前記光変調層に所定の色の光を入射する光源と、
を有し、
前記光変調層は、前記電場が生じていないときは前記光源から入射した入射光を透過し、前記電場が生じているときは前記入射光を散乱して前記透明基板に射出し、
前記透明基板に、前記光変調層内を進む前記光源の光の拡散を防止する層内光拡散防止部を備え、
前記層内光拡散防止部は、前記光変調層内に入射した前記光源の光の進む方向に沿って設けられる、
表示装置。
【請求項１０】
前記一対の透明基板と、前記光変調層と、前記光源と、を有する第１の表示パネルと第２の表示パネルとを重ねてなり、
前記駆動部は、前記第１の表示パネルにおいて前記電極に順次電圧を印加する第１スキャンラインの位置と、前記第２の表示パネルにおいて駆動する前記電極に順次電圧を印加する第２スキャンラインの位置と、をずらして前記第１の表示パネルと、前記第２の表示パネルとを同期駆動する、
請求項１乃至７のいずれかに記載の表示装置。
【請求項１１】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記透明基板の外側から前記光変調層に所定の色の光を入射する外部光源と、
表示領域の色情報を取得し、前記色情報に基づいて、前記外部光源の点灯と、前記電極への電圧印加とを同期駆動する駆動部と、
前記光変調層の側面から前記光変調層に所定の色の光を入射する光源と、
を有し、
前記光変調層は、前記電場が生じていないときは前記外部光源から入射した入射光を透過し、前記電場が生じているときは前記入射光を散乱して前記透明基板に射出し、
前記駆動部は、前記色情報に基づいて、前記外部光源の点灯と、前記光源の点灯と、前記電極への電圧印加とを同期駆動する、
表示装置。
【請求項１２】
前記光変調層は、高分子材料に液晶分子が分散された層である、
請求項１乃至１１のいずれかに記載の表示装置。
【発明の詳細な説明】
【技術分野】
【０００１】
本発明は、表示装置に関する。
【背景技術】
【０００２】
近年、高分子分散液晶（ＰＤＬＣ；Polymer Dispersed Liquid Crystal）を用いた表示装置あるいは照明装置が提案されている。このような表示装置あるいは照明装置では、ＰＤＬＣに対して印加する電圧を制御し、透明状態と散乱状態を切り換えることができる。
【０００３】
一般的なノーマルＰＤＬＣは、印加電圧をオフしているときに散乱状態となり、印加電圧をオンすると透明状態となる。また、印加電圧をオフしているときに透明状態となり、印加電圧をオンすると散乱状態となるリバースＰＤＬＣもある。
【先行技術文献】
【特許文献】
【０００４】
【特許文献１】特開２０１２−１５１０８１号公報
【特許文献２】特開２０１２−１４１５８８号公報
【発明の概要】
【発明が解決しようとする課題】
【０００５】
１つの側面では、本発明は、透明感の高い表示装置を提供することにある。
【課題を解決するための手段】
【０００６】
本発明の一態様は、離間して対向配置された一対の透明基板と、一対の透明基板の間に配置され、所定の屈折率異方性を有するとともに、透明基板に設けられた電極によって生じる電場に対する応答性が異なる複数の光変調素子を備える光変調層と、光変調層の側面から光変調層に所定の色の光を入射する光源と、を有し、光変調層は、電場が生じていないときは光源から入射した入射光を透過し、電場が生じているときは入射光を散乱して透明基板に射出し、電極は、表示領域を分割した分割領域を表示単位として、表示単位に電場を発生し、光源は、それぞれ独立して動作して表示単位に異なる色の光を入射する複数の色光源を有し、表示領域の色情報を取得し、色情報に基づいて表示単位ごとに、色情報に応じた色光源の点灯と、電極への電圧印加とを同期駆動する駆動部を有する、表示装置である。
【図面の簡単な説明】
【０００７】
【図１】第１の実施形態の表示装置の構成の一例を示した図である。
【図２】第２の実施形態の表示装置の構成の一例を示した図である。
【図３】第２の実施形態の表示パネルの構成を示した図である。
【図４】第２の実施形態の光変調層の作用を説明する模式図である。
【図５】第２の実施形態のパネル駆動回路の構成を示した図である。
【図６】第２の実施形態のサイド光源の構成を示した図である。
【図７】第２の実施形態の表示装置のハードウェア構成を示した図である。
【図８】第２の実施形態の表示装置の機能構成を示したブロック図である。
【図９】第２の実施形態の同期駆動制御の一例を説明する図である。
【図１０】第２の実施形態のフィールドシーケンシャル制御の動作タイミングを示した図である。
【図１１】第２の実施形態のラインシーケンシャル制御の動作タイミングを示した図である。
【図１２】第２の実施形態において入射光の直進性を高める構成の一例を示した図である。
【図１３】第２の実施形態において入射光の直進性を高める構成の他の例を示した図である。
【図１４】第３の実施形態の表示パネルを複数重ねた構成例を示した図である。
【図１５】第４の実施形態の表示装置の構成の一例を示した図である。
【図１６】第５の実施形態の表示装置の構成の一例を示した図である。
【図１７】第５の実施形態の偏光光の射出量の一例を示した図である。
【図１８】第５の実施形態の裏面から入射した光の偏光方向による透過率と駆動電圧との関係の一例を示した図である。
【図１９】第５の実施形態の表示装置の表示制御の一例を示した図である。
【図２０】第６の実施形態の表示装置の構成の一例を示した図である。
【図２１】第７の実施形態の表示装置の構成の一例を示した図である。
【図２２】第７の実施形態の表示装置の第１の変形例を示した図である。
【図２３】図２２の構成に偏光方向の異なるプロジェクタ光を入射した場合を示した図である。
【発明を実施するための形態】
【０００８】
以下に、本発明の各実施の形態について、図面を参照しつつ説明する。
なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
また、本発明と各図において、既出の図に関して前述したものと同様の要素には、同一の符号を付して、詳細な説明を適宜省略することがある。
【０００９】
［第１の実施形態］
第１の実施形態の表示装置について図１を用いて説明する。図１は、第１の実施形態の表示装置の構成の一例を示した図である。図１（Ａ）は、第１の実施形態の表示装置の平面図である。図１（Ｂ）は、図１（Ａ）のＡ１−Ａ２矢視方向の断面図である。なお、図１（Ａ）、（Ｂ）は表示装置を模式的に表したものであり、実際の寸法、形状と同一とは限らない。
【００１０】
第１の実施形態の表示装置１は、図１（Ａ）に示したように、透明基板２の外面は開放されており、観察者視点からは透明基板２の平面が視認される。また、透明基板２の平面の一辺に沿って、光源８が配置される。なお、透明基板２の平面の下層には、光変調層４の平面が形成されている。この光変調層４が形成する平面領域が表示領域になる。
【００１１】
表示装置１の構成を説明する。図１（Ｂ）に示したように、透明基板２は、離間して配置される一対の透明基板２ａ，２ｂを備え、透明基板２ａと透明基板２ｂとの間に光変調層４を有する。透明基板２ａ，２ｂの光変調層４側とは反対の外面は開放されている。また、光源８は、光変調層４の側面から光変調層４に光を入射する。
【００１２】
ここで、光変調層４は、所定の屈折率異方性を有する第１光変調素子４ａと第２光変調素子４ｂとを含む。第１光変調素子４ａと第２光変調素子４ｂとは、透明基板２ａ，２ｂに設けられた電極によって生じる電場に対する応答性が異なる。例えば、電場に対する第２光変調素子４ｂの応答性は、電場に対する第１光変調素子４ａの応答性よりも相対的に高くなっている。
【００１３】
このような光変調層４では、光変調層４に電場が生じていないときは、正面方向及び斜め方向を含むあらゆる方向において第１光変調素子４ａと第２光変調素子４ｂとの屈折率差がほとんどない。このため、光変調層４の側面から入射する光源８の入射光は、そのまま透過され、透明基板２ａ，２ｂ側には射出されない。また、透明基板２ａ、光変調層４、透明基板２ｂが重なる層を貫通する貫通方向の光も透過する。このように、光変調層４は、電場が生じていないときに高い透明性を有し、透明基板２ａの平面を表面としたとき、観察者は、裏面となる透明基板２ｂに外部から入射した光を視認することができる。以下の説明では、光変調層４が入射光を透過する状態を「透明状態」という。なお、正面方向は透明基板２の平面を視認する方向を指し、斜め方向はそれ以外の方向を指すとする。
【００１４】
一方、光変調層４に電場が生じているときは、第１光変調素子４ａと第２光変調素子４ｂとの応答性の違いに応じた屈折率差があらゆる方向で大きくなる。このため、光源８からの入射光は、光変調層４内で散乱され、その散乱光は透明基板２ａ，２ｂ側に射出される。したがって、観察者は、透明基板２ａより射出された散乱光を視認することができる。以下の説明では、光変調層４が入射光を散乱する状態を「散乱状態」という。
【００１５】
上記の表示装置１によれば、光変調層４に電場を発生させる電極への電圧印加を制御し、光変調層４に生じる電場の発生と消失を切り換えることによって、光変調層４を透明状態と散乱状態とに切り換えることができる。
【００１６】
表示装置１では、光変調層４に電場が生じていない状態では、あらゆる方向において第１光変調素子４ａと第２光変調素子４ｂとの屈折率差がほとんどないため、いずれの方向から見ても高い透明性を得ることができる。一般的なノーマルＰＤＬＣでは、正面方向では透明であっても斜め方向で原理的に散乱性を持つため、透明感が低かった。これに対し、表示装置１は、あらゆる方向において高い透明性を有する。なお、透明基板２ａ側を表面として説明したが、透明基板２ｂを表面としても同様である。
【００１７】
また、表示装置１は、図１の鎖線で示したように表示領域を分割し、分割した領域ごとに透明状態と散乱状態とを切り換える構成とすることもできる。このように、分割した領域ごとに透明状態と散乱状態を制御することにより、画像を表示することができる。なお、図１の例では、表示領域をマトリクス状に分割した例を示したが、本発明はこれに限定されない。例えば、表示領域を１つの電極で切り換える構成とすることもできるし、表示領域の一部の領域のみに電極を配置し、一部の領域のみで電場の発生と消失の切り換えを行う構成とすることもできる。
【００１８】
さらに、本発明の一実施形態として表示装置１について説明したが、本発明はこれに限定されない。例えば、表示装置１から射出される光を照明として利用する照明装置としてもよい。また、表示装置１が常に表示を行う必要はない。例えば、通常状態では透明基板２を例えば、窓ガラスのような透明板として利用し、必要に応じて画像を表示するとしてもよい。表示装置１によれば、電極に電圧を印加していない状態において高い透明性を備えており、このような利用も可能である。
以下、実施の形態として説明する表示装置は、単なる狭義の表示装置ではなく、種々の態様に適用できるものである。
【００１９】
［第２の実施形態］
次に、第２の実施形態の表示装置について説明する。まず、表示装置の構成について説明する。
【００２０】
（１）構成
図２は、第２の実施形態の表示装置の構成の一例を示した図である。
図２に示した表示装置１０は、表示パネル２０と、パネル駆動回路３０と、サイド光源４０と、光源駆動回路５０と、画像出力部６０と、同期駆動部７０と、を有する。表示装置１０は、図１に示した表示装置１の一実施形態である。以下では、便宜的に、表示パネル２０を正面方向から視認した場合における水平方向をＸ方向、垂直方向をＹ方向、奥行き方向をＺ方向とし、必要に応じて説明に用いる。
【００２１】
表示パネル２０は、図１に示したように、光変調層を挟んで離間する一対の透明基板を有する。光変調層側とは反対の外面は開放されており、観察者は、一対の透明基板の外面を通して光変調層から射出される光を視認することができる。なお、図２に示す表示パネル２０は、光変調層を挟む透明基板平面を外側（透明基板が光変調層と接する面とは反対側）から視認される平面を示している。以下の説明では、この平面上で光変調層が光を射出して観察者に色を視認させることができる領域を表示領域とする。表示パネル２０は、表示領域を分割した分割領域を表示単位として、表示単位ごとに表示制御が行われる。以下の説明では、この表示単位を表示セルＣｐｑとする。図２の例では、表示セルＣｐｑは２次元の行列状に配置されている。ｐは行方向の位置を示し、ｑは列方向の位置を示すとする。
【００２２】
パネル駆動回路３０は、表示セルＣｐｑに対応する光変調層領域ごとに電場の発生と消失を生じる電極への電圧印加を制御する。パネル駆動回路３０では、同期駆動部７０から入力した駆動信号に基づいて、表示セルＣｐｑ単位に電極に電圧を印加して順次駆動し、表示セルＣｐｑごとに光変調層領域の散乱状態と透明状態とを切り換える。
【００２３】
サイド光源４０は、表示パネル２０の側辺に沿って配置され、表示パネル２０の光変調層に向けて所定の色の光を入射する。サイド光源４０は、それぞれ異なる色を発光するとともに、独立して制御される複数の色光源を有する。例えば、第１原色を発光する第１色光源と、第２原色を発光する第２色光源と、第３原色を発光する第３色光源と、を有する。第２の実施形態では、第１原色を赤色、第２原色を緑色、第３原色を青色とする。なお、第１原色、第２原色、第３原色の代わりに、補色関係にある任意の色の光源を組み合わせて用いてもよい。また、単色を表示する装置であってもよい。
光源駆動回路５０は、同期駆動部７０からの駆動信号に基づいて、サイド光源４０の各光源を個別に駆動する。
【００２４】
画像出力部６０は、画像信号ＳＲＧＢを同期駆動部７０に出力する。画像信号ＳＲＧＢには、表示パネル２０の表示領域に対応する色情報が設定されている。画像信号ＳＲＧＢは、例えば、表示セルＣｐｑに対応し、赤色成分の信号値Ｒｐｑ、緑色成分の信号値Ｇｐｑ、青色成分の信号値Ｂｐｑを含む。以下の説明では、画像信号ＳＲＧＢには、表示セルＣｐｑごとに表示セルＣｐｑの色情報が赤色成分Ｒｐｑ、緑色成分Ｇｐｑ、青色成分Ｂｐｑによって設定されているとする。なお、画像信号ＳＲＧＢは、表示セルＣｐｑと１対１に対応していなくてもよい。
【００２５】
同期駆動部７０は、画像信号ＳＲＧＢを取得し、パネル駆動回路３０と光源駆動回路５０とを同期駆動する。具体的には、表示セルＣｐｑに対するパネル駆動回路３０による電極の駆動と、光源駆動回路５０によるサイド光源４０からの光入射とを同期させる。
【００２６】
各構成部の詳細について順次説明する。
まず、表示パネル２０について説明する。図３は、第２の実施形態の表示パネルの構成を示した図である。図３（Ａ）は、表示パネルの断面図である。図３（Ｂ）は、電圧無印加時の光変調層の状態の一例を表したものである。図３（Ｃ）は、電圧印加時の光変調層の状態の一例を表したものである。図３（Ｂ），（Ｃ）では、光変調層に含まれる光変調素子の屈折率異方性を、屈折率楕円体を用いて表している。この屈折率楕円体は、様々な方向から入射した直線偏光の屈折率をテンソル楕円体で表したものであり、光が入射する方向からの楕円体の断面を見ることによって、幾何的に屈折率を知ることができるものである。
【００２７】
表示パネル２０は、図３（Ａ）に示したように、離間されて配置された下側透明基板２２及び上側透明基板２３と、下側透明基板２２の上側透明基板２３と対向する面に設けられた下側電極３１と、上側透明基板２３の下側透明基板２２と対向する面に設けられた上側電極３２と、下側透明基板２２と上側透明基板２３との間に配置される光変調層８０と、を有する。また、表示パネル２０側面の光変調層８０と対向する位置にサイド光源４０が配置される。上側透明基板２３及び下側透明基板２２の光変調層８０側と反対の外面は開放されており、観察者から視認可能となっている。
【００２８】
下側透明基板２２及び上側透明基板２３は、光変調層８０を支持するものであり、一般に、可視光に対して透明な基板によって構成されている。そのような基板の材料としては、例えば、ガラス板や樹脂基板などが挙げられる。
【００２９】
下側電極３１及び上側電極３２は、電圧を印加することにより、下側電極３１と上側電極３２との間に電場を発生し、光変調層８０に電場がかかる。また、下側電極３１及び上側電極３２は、ともに透明な材料で形成される。下側電極３１及び上側電極３２の形状は、駆動方式によって異なるが、いずれの駆動方式においても表示セルＣｐｑを駆動単位として、表示セルＣｐｑに対応する領域ごとに独立して電場を発生させることができる。下側電極３１及び上側電極３２の構成については後述する。
【００３０】
光変調層８０は、２種類の光変調素子を含む層である。２種類の光変調素子は、屈折率異方性が同じで、電場に対する応答性が異なる。図３に示した表示パネル２０では、液晶性モノマー８１と、液晶性モノマー８１内に分散された液晶分子８２とを含んだ複合層となっている。ここで、液晶性モノマー８１と液晶分子８２とは、常光屈折率及び異常光屈折率は互いに等しい。なお、例えば、製造誤差などによる屈折率のずれは許容される。一方、電場に対する応答性は、液晶分子８２の方が液晶性モノマー８１よりも高い。液晶性モノマー８１は、例えば、電場に対して応答しない筋状構造もしくは多孔質構造となっているか、または液晶分子８２よりも遅い応答速度を有する棒状構造となっている。液晶性モノマー８１は第１光変調素子４ａの一実施形態であり、液晶分子８２は第２光変調素子４ｂの一実施形態である。なお、液晶性モノマー８１は光または熱で硬化されることで重合化可能なモノマーであることが好ましい。当該液晶性モノマー８１を重合化させてポリマー化した場合、液晶分子８２と液晶性ポリマー（高分子材料）は、常光屈折率及び異常光屈折率が互いに等しいまま硬化されることが好ましい。また、電場に対する応答性は、液晶分子８２の方が液晶性ポリマーよりも高いことが好ましい。以下、液晶性モノマーについての記載は、当該液晶性モノマーを重合化した液晶性ポリマーについても該当する。また、本実施の形態の光変調層８０は、当該高分子材料内に液晶分子８２が分散された複合層、すなわち、高分子分散液晶（ＰＤＬＣ）に適用可能である。
【００３１】
例えば、図３（Ｂ）に示したように、下側電極３１と上側電極３２間に電圧が印加されておらず、光変調層８０に電場が生じていない状態では、液晶性モノマー８１ａの光軸ＡＸ１と、液晶分子８２ａの光軸ＡＸ２の向きが互いに一致する（平行となる）構成となっている。なお、光軸ＡＸ１，ＡＸ２とは、偏光方向によらず屈折率が１つの値になるような光線の進行方向と平行な線を指している。なお、このときの光軸ＡＸ１の向きと光軸ＡＸ２の向きとは、例えば、製造誤差などによって多少ずれていてもよい。
【００３２】
一方、図３（Ｃ）に示したように、下側電極３１と上側電極３２間に電圧が印加され、光変調層８０に電場が生じている状態では、液晶性モノマー８１ｂの光軸ＡＸ１の方向と、液晶分子８２ｂの光軸ＡＸ２の方向とが交差する構成となっている。
【００３３】
このような光変調層８０の作用について説明する。図４は、第２の実施形態の光変調層の作用を説明する模式図である。図４（Ａ）は電圧無印加における光変調層の作用を、図４（Ｂ）は電圧印加における光変調層の作用を示した模式図である。
【００３４】
図４（Ａ）電圧無印加の状態では、上側電極３２と下側電極３１との間に電圧は印加されておらず、光変調層８０に電場が生じていない。この状態では、図３（Ｂ）に示したように、液晶性モノマー８１ａの光軸ＡＸ１と、液晶分子８２ａの光軸ＡＸ２の向きが互いに一致し、正面方向及び斜め方向を含むあらゆる方向において屈折率差がほとんどない。このため、例えば、鎖線で示した側面から入射するサイド光源４０の入射光Ｌ１１，Ｌ１２，Ｌ１３は、光変調層８０内で散乱されることなく光変調層８０を透過する。なお、サイド光源４０から下側透明基板２２または上側透明基板２３側に向かった光は全反射され、外部に射出されることはない。また、一点鎖線で示した下側透明基板２２の外側から下側透明基板２２、光変調層８０、上側透明基板２３を貫通する貫通方向に入射した光Ｌ２１，Ｌ２２についても光変調層８０内で散乱されることなく光変調層８０を透過し、上側透明基板２３から射出される。このように、下側電極３１と上側電極３２間に電圧が印加されていないとき、光変調層８０は高い透明性を有する。
【００３５】
一方、図４（Ｂ）電圧印加の状態では、上側電極３２と下側電極３１との間に電圧が印加され、光変調層８０に電場が生じている。この状態では、図３（Ｃ）に示したように、液晶性モノマー８１ｂの光軸ＡＸ１の方向と、液晶分子８２ｂの光軸ＡＸ２の方向とが交差し、正面方向及び斜め方向を含むあらゆる方向において屈折率差が大きくなるため、高い散乱性が得られる。例えば、側面から入射するサイド光源４０の入射光Ｌ１１，Ｌ１２，Ｌ１３は、光変調層８０内で散乱され、この散乱光Ｌ３１，Ｌ３２が上側透明基板２３から射出される。これにより、図４（Ｂ）の上側方向から上側透明基板２３を観察したとき、散乱光Ｌ３１，Ｌ３２を視認することができる。なお、図４（Ｂ）の下側方向から下側透明基板２２を観察した場合も同様である。
【００３６】
このような構成の表示装置１０では、上側透明基板２３または下側透明基板２２を正面から見ると、電圧無印加の状態では貫通方向を透過した光が視認される。一方、電圧印加状態では光変調層８０において散乱されて射出されたサイド光源４０からの入射光が視認される。
【００３７】
次に、パネル駆動回路３０について説明する。図５は、第２の実施形態のパネル駆動回路の構成を示した図である。
パネル駆動回路３０は、帯状の複数の下側電極３１と、複数の上側電極３２とに接続し、下側電極３１及び上側電極３２を選択的に駆動することにより、表示セルＣｐｑに対応する電場の発生と消失を制御する。
【００３８】
下側電極３１は、下側透明基板２２に設けられた透明電極であり、下側透明基板２２の面内の一方向に延在する帯状の形状を有する。上側電極３２は、上側透明基板２３に設けられた透明電極であり、面内の一方向であって、下側電極３１の延在方向と交差する方向に延在する帯状の形状を有する。この下側電極３１と上側電極３２とが交差する部分が表示セルＣｐｑに対応する領域となる。なお下側電極３１の延在方向と上側電極３２の延在方向とは直交してもよい。
【００３９】
パネル駆動回路３０は、複数の下側電極３１と、複数の上側電極３２とを順次駆動する単純マトリクス駆動制御を行う。単純マトリクス駆動とすることにより、表示パネル２０の平面内に配線などを設ける必要がなく、より高い透明性を得ることができる。
【００４０】
なお、一方の電極をベタ膜で形成し（すなわち、成膜後成形せず）、他方の電極を微小な方形状として各電極をアクティブマトリクス駆動することも可能である。また、光変調層８０を表示セルＣｐｑ単位で駆動する駆動形式については、種々の形式が知られており、表示装置１０の用途等に合わせ、このような駆動形式を適宜用いてパネル駆動回路３０を構成することができる。
【００４１】
次に、サイド光源４０について説明する。図６は、第２の実施形態のサイド光源の構成を示した図である。
サイド光源４０は、表示パネル２０の表示領域の一方向に沿って光源ユニット４１，４２，４３，４４，４５，４６が順次配列される構成を有し、各光源を駆動する光源駆動回路５０に接続する。
【００４２】
光源ユニット４１は、それぞれ赤色を発光する赤色光源４１Ｒ、緑色を発光する緑色光源４１Ｇ、青色を発光する青色光源４１Ｂを有する。赤色光源４１Ｒ、緑色光源４１Ｇ、青色光源４１Ｂは、それぞれ光源駆動回路５０に接続し、独立して駆動させることができる。他の光源ユニット４２，４３，４４，４５，４６も同様の構成を有する。なお、特に光源ユニットを指定して説明する場合を除き、光源ユニットを構成する各色の光源は、赤色光源４ｎＲ、緑色光源４ｎＧ、青色光源４ｎＢと表す。
【００４３】
光源駆動回路５０は、同期駆動部７０からの駆動信号に基づいて、赤色光源４ｎＲ、緑色光源４ｎＧ及び青色光源４ｎＢをそれぞれ駆動する。例えば、光源ユニット４１の赤色光源４１Ｒを点灯することにより、表示パネル２０の左端に並ぶ表示セル列に対応する光変調層８０の領域には、赤色の光が入射される。緑色光源４１Ｇ、青色光源４１Ｂについても同様に、それぞれの色の光が入射される。光源駆動回路５０は、パネル駆動回路３０と同期して各色の入射光を光変調層８０内に順次射出し、表示セルＣｐｑ単位で所望の色を表示させることができる。また、赤色光源４ｎＲ、緑色光源４ｎＧ、青色光源４ｎＢをそれぞれ単色で点灯するばかりでなく、複数色を同時に点灯するとしてもよい。例えば、赤色光源４ｎＲと青色光源４ｎＢを同時に点灯すれば、マゼンダ色の光を表示パネル２０に入射することができる。同様に、赤色光源４ｎＲ、緑色光源４ｎＧ、青色光源４ｎＢを全て点灯し、白色光が入射されるとしてもよい。また、例えば、単色表示を行うような場合等には、各光源の点灯時間、発光強度を組み合わせて所望の色の光を形成し、これを光変調層８０に入射するようにしてもよい。
【００４４】
なお、図６の例では、１つの表示セル列に対し、光源ユニットが１つ配置されているが、１つの表示セル列に対して複数の光源ユニットが配置される構成としてもよい。また、赤色光源４ｎＲ、緑色光源４ｎＧ及び青色光源４ｎＢは、サイド光源４０の延在方向に配列されているが、例えば、サイド光源４０の延在方向に対して垂直方向に配列されていてもよい。表示セル列に３原色の光をそれぞれ入射可能であれば、各光源の配列形式は問わない。
【００４５】
次に、ハードウェア構成について説明する。図７は、第２の実施形態の表示装置のハードウェア構成を示した図である。
表示装置１０は、制御部９０によって装置全体が制御されている。制御部９０は、ＣＰＵ（Central Processing Unit）９１を有し、ＣＰＵ９１には、バス９６を介してＲＡＭ（Random Access Memory）９２及びＲＯＭ（Read Only Memory）９３と複数の周辺機器が接続されている。
【００４６】
ＣＰＵ９１は、制御部９０の処理機能を実現するプロセッサである。
ＲＡＭ９２は、制御部９０の主記憶装置として使用される。ＲＡＭ９２には、ＣＰＵ９１に実行させるＯＳ（Operating System）のプログラムやアプリケーションプログラムの少なくとも一部が一時的に格納される。また、ＲＡＭ９２には、ＣＰＵ９１による処理に必要な各種データが格納される。
【００４７】
ＲＯＭ９３は、読出し専用の半導体記憶装置で、ＯＳのプログラム、アプリケーションプログラム、及び書き替えをしない固定データが格納される。また、ＲＯＭ９３の代わり、あるいはＲＯＭ９３に加えて、二次記憶装置としてフラッシュメモリ等の半導体記憶装置を使用することもできる。
【００４８】
バス９６に接続されている周辺機器としては、パネル駆動回路３０、光源駆動回路５０、入力インタフェース９４及び通信インタフェース９５がある。
パネル駆動回路３０には、表示パネル２０が接続されている。
光源駆動回路５０には、サイド光源４０が接続されている。
【００４９】
入力インタフェース９４には、利用者の指示を入力する入力装置や、他装置から画像信号を取得するインタフェースが接続される。入力インタフェース９４は、入力装置や他装置から送られてくる信号をＣＰＵ９１に送信する。
通信インタフェース９５は、ネットワーク９８に接続されている。通信インタフェース９５は、ネットワーク９８を介して、他のコンピュータまたは通信機器との間でデータの送受信を行う。
【００５０】
以上のようなハードウェア構成によって、本実施形態の処理機能を実現することができる。上記構成は一例であり、構成は適宜変更される。
なお、図２に示した画像出力部６０及び同期駆動部７０は、制御部９０によってその処理機能を実現する。
【００５１】
次に、表示装置１０が備える機能構成について説明する。図８は、第２の実施形態の表示装置の機能構成を示したブロック図である。
表示装置１０は、画像出力部６０から入力する画像信号ＳＲＧＢに基づいて、パネル駆動回路３０と光源駆動回路５０とを同期駆動する同期駆動部７０を有する。同期駆動部７０は、同期信号ＳＴＭを生成するタイミング生成部７１と、表示セル駆動信号生成部７２と、光源駆動信号生成部７３と、を有する。
【００５２】
同期駆動部７０の各部の処理について説明する。
タイミング生成部７１は、パネル駆動回路３０と、光源駆動回路５０との動作タイミングを同期させるための同期信号ＳＴＭを生成する。生成した同期信号ＳＴＭは、パネル駆動回路３０と、光源駆動回路５０と、に出力する。
【００５３】
表示セル駆動信号生成部７２は、画像信号ＳＲＧＢに基づき、表示セルＣｐｑに対応する電極を駆動する表示セル駆動信号ＳＣＥＬを生成し、同期信号ＳＴＭとともにパネル駆動回路３０に出力する。表示セル駆動信号ＳＣＥＬには、画像信号ＳＲＧＢに含まれる赤色成分Ｒｐｑ、緑色成分Ｇｐｑ、青色成分Ｂｐｑに対応する各駆動値が設定される。
【００５４】
光源駆動信号生成部７３は、画像信号ＳＲＧＢに基づき、表示セルＣｐｑに対応する赤色光源４ｎＲ、緑色光源４ｎＧ、青色光源４ｎＢを駆動する光源駆動信号ＬＲＧＢを生成し、光源駆動回路５０に出力する。
【００５５】
パネル駆動回路３０と、光源駆動回路５０とは、同期信号ＳＴＭによって同期駆動する。例えば、光源駆動回路５０が光源駆動信号ＬＲＧＢに基づいて赤色光源４ｎＲを点灯するのに同期して、パネル駆動回路３０が表示セル駆動信号ＳＣＥＬの対象表示セルＣｐｑの赤色成分Ｒｐｑに応じた電圧を対象表示セルＣｐｑの電極に印加する。これにより、光源駆動回路５０によって入射された赤色光源４ｎＲの輝度と、パネル駆動回路３０が電極に印加した電圧に応じた赤色の散乱光が対象表示セルＣｐｑから射出される。他の色についても同様である。
【００５６】
このようにパネル駆動回路３０と光源駆動回路５０とが同期駆動することによって、表示セルＣｐｑに画像信号ＳＲＧＢの赤色成分Ｒｐｑ、緑色成分Ｇｐｑ及び青色成分Ｂｐｑの表示が再現される。
なお、同期駆動部７０では、各色成分を再現するため、画像信号ＳＲＧＢに基づいて、赤色光源４ｎＲ、緑色光源４ｎＧ及び青色光源４ｎＢの発光時間あるいは発光強度（輝度）と、電極に対する電圧印加時間あるいは電圧の大きさと、を適宜決定する。
【００５７】
（２）表示機能
次に、上記の構成を有する表示装置１０の機能処理について図９を用いて説明する。
図９は、第２の実施形態の同期駆動制御の一例を説明する図である。なお、図９では、同期駆動部７０は省略している。
【００５８】
パネル駆動回路３０は、表示セルＣｐｑに対応する光変調層８０に電場を発生させる電極に順次電圧を印加する単純マトリクス制御を行う。パネル駆動回路３０は、表示パネル２０に画像信号ＳＲＧＢに基づく画像を表示する１画像表示フレームにおいて、１つの表示セルＣｐｑに対し、サイド光源４０がそれぞれ赤色光源４ｎＲ、緑色光源４ｎＧ、青色光源４ｎＢを点灯しているときの計３回、電極に電圧を印加する制御を行う。これにより、１つの表示セルＣｐｑについて画像信号ＳＲＧＢに基づく赤色成分Ｒｐｑ、緑色成分Ｇｐｑ、青色成分Ｂｐｑの光が光変調層８０より順次射出され、観察者は画像信号ＳＲＧＢに対応する色を視認することができる。なお、画像信号ＳＲＧＢのすべての色成分が０の場合、表示セルＣｐｑに対応する電極は駆動されず、観察者は表示セルＣｐｑの透明状態を視認する。
【００５９】
例えば、図９に示したように、同期信号ＳＴＭと光源駆動信号ＬＲＧＢを入力した光源駆動回路５０によって、サイド光源４０の光源ユニット４５は、緑色光源４５Ｇを点灯しているとする。これにより、表示セルＣ２５に対応する光変調層領域には、緑色光源４５Ｇの光源入射光Ｌ１４が入射される。パネル駆動回路３０は、同期信号ＳＴＭに基づいて、表示セルＣ２５の光変調層領域に光源入射光Ｌ１４が入射されているときに、表示セルＣ２５に対応する電極に電圧を印加する。印加する電圧の大きさまたは印加時間は、表示セル駆動信号生成部７２によって、光源入射光Ｌ１４の光強度と、表示セルＣ２５の緑色成分Ｇ２５に応じて決められている。対応する電極に電圧が印加されることにより、表示セルＣ２５に対応する光変調層領域は散乱状態となり、光源入射光Ｌ１４の散乱光Ｌ３１が射出され、観察者は緑色を視認することができる。他の表示セルＣｐｑについても同様の処理が行われる。さらに、全表示セルＣｐｑに対し、赤色成分Ｒｐｑ及び青色成分Ｂｐｑについて同様の処理が行われ、１画像表示フレーム周期は終了する。
【００６０】
このように、同期駆動部７０によって、パネル駆動回路３０における電極への電圧印加と、光源駆動回路５０によるサイド光源４０の駆動とが色成分ごとに同期して行われ、表示セルＣｐｑに画像信号ＳＲＧＢに基づく色が表示される。
【００６１】
上記の説明では、画像信号ＳＲＧＢに含まれる色成分を赤色成分Ｒｐｑ、緑色成分Ｇｐｑ、青色成分Ｂｐｑとし、対応する赤色光源４ｎＲ、緑色光源４ｎＧ、青色光源４ｎＢの点灯と、電極の駆動とを同期するとしたが、本発明はこれに限定されない。例えば、色成分をシアン、マゼンダ、黄とし、それぞれの駆動期間には緑色光源４ｎＧと青色光源４ｎＢ、赤色光源４ｎＲと青色光源４ｎＢ、赤色光源４ｎＲと緑色光源４ｎＧを点灯するとしてもよい。その他、サイド光源４０に設ける色光源の色、駆動時に点灯する色の組み合わせ等は、所望の表示に合わせて適宜選択することができる。
【００６２】
また、パネル駆動回路３０による電極への電圧印加と、光源駆動回路５０によるサイド光源４０の駆動と、を同期させて駆動する構成と駆動方法とは適宜決定される。以下では、その一例としてフィールドシーケンシャル制御とラインシーケンシャル制御について説明する。以下の説明では、所定の順番にしたがって表示セルＣｐｑに対応する電極に順次電圧を印加する処理をスキャンという。
【００６３】
フィールドシーケンシャル制御とは、サイド光源４０の色の切り換えを表示領域（フィールド）単位で制御し、これに同期させて表示セルＣｐｑのスキャンを行う制御である。一方、ラインシーケンシャル制御とは、サイド光源４０の点灯色の切り換えをサイド光源４０の列または複数列からなるブロック単位で制御し、これに同期させて表示セルＣｐｑのスキャンを行う制御である。
【００６４】
まず、フィールドシーケンシャル制御について説明する。図１０は、第２の実施形態のフィールドシーケンシャル制御の動作タイミングを示した図である。図１０のＲｐｑ，Ｇｐｑ,Ｂｐｑは、それぞれ対応する表示セルＣｐｑが赤色（Ｒ）、緑色（Ｇ）、青色（Ｂ）を表示していることを示す。同様に、光源ユニットに対応するＲ，Ｇ，Ｂは、各光源ユニットがそれぞれ赤色光源４ｎＲ、緑色光源４ｎＧ、青色光源４ｎＢを点灯していることを示す。
【００６５】
フィールドシーケンシャル制御では、図１０に示したように、サイド光源４０の同じ色光源を一斉に点灯し、表示領域の全表示セルＣｐｑのスキャンを行い、スキャン終了後にサイド光源４０の点灯色を一斉に切り換える手順を繰り返す。
【００６６】
図１０の例では、パネル駆動回路３０は、表示セルＣ１１−Ｃ１９の駆動ライン、表示セルＣ２１−Ｃ２９の駆動ライン、・・・、表示セルＣ５１−Ｃ５９の駆動ラインという順に行ごとに表示セルＣｐｑをスキャンしていく。図９に示した表示パネル２０のＹ方向に入射するサイド光源４０の光入射方向と、Ｘ方向である表示セルＣｐｑのスキャン方向とが異なる。
【００６７】
フィールドシーケンシャル制御では、フィールド単位でサイド光源４０の点灯色の切り換えを行うため、図１０の例では、１回目のスキャンでは、最初の表示セルＣ１１から最後の表示セルＣ５９が駆動されるまでの期間、光源ユニット４１−４９は、すべて赤色光源４１Ｒ−４９Ｒを点灯している。パネル駆動回路３０は、表示セル駆動信号生成部７２から取得した表示セル駆動信号ＳＣＥＬに基づいて、表示セルＣｐｑに対応する電極を順次駆動する。これにより、各表示セルＣｐｑは、画像信号ＳＲＧＢの赤色成分Ｒｐｑを表示する。
【００６８】
赤色の最後の表示セルＣ５９のスキャンが終了したタイミングに同期して、光源駆動回路５０は、光源ユニット４１−４９について、点灯する光源を、赤色光源４１Ｒ−４９Ｒから緑色光源４１Ｇ−４９Ｇに切り換える。２回目のスキャンでは、光源ユニット４１−４９はすべて緑色光源４０Ｇを点灯しており、パネル駆動回路３０は、表示セル駆動信号ＳＣＥＬに基づいて、表示セルＣｐｑに対応する電極を順次駆動する。これにより、各表示セルＣｐｑは、画像信号ＳＲＧＢの緑色成分Ｇｐｑを表示する。
【００６９】
緑色の最後の表示セルＣ５９のスキャンが終了したタイミングに同期して、光源駆動回路５０は、光源ユニット４１−４９の点灯光源を、緑色光源４１Ｇ−４９Ｇから青色光源４１Ｂ−４９Ｂに切り換える。３回目のスキャンでは、光源ユニット４１−４９は、すべて青色光源４１Ｂ−４９Ｂを点灯しており、パネル駆動回路３０のスキャンにより、表示セルＣｐｑは画像信号ＳＲＧＢの青色成分Ｂｐｑを表示する。
【００７０】
こうして、赤色成分Ｒｐｑ、緑色成分Ｇｐｑ、青色成分Ｂｐｑが順次表示され、表示パネル２０に画像信号ＳＲＧＢに基づく画像が表示される。なお、図１０では、表示セルＣｐｑをＸ方向にスキャンするとしたが、Ｙ方向にスキャンするとしてもよい。また、入射する色の順番は、上記の順番と異なっていてもよい。
【００７１】
次に、ラインシーケンシャル制御について説明する。図１１は、第２の実施形態のラインシーケンシャル制御の動作タイミングを示した図である。図１１に示す記号は、図１０と同様である。
【００７２】
図１１に示した例では、光源駆動回路５０は、光源ユニット４１，４２，４３，４４，４５，４６，４７，４８，４９の順に各色の光源を駆動する。パネル駆動回路３０は、各色の光源に対応し、光源からの光が光変調層８０内を進む入射方向に沿って並ぶ表示セルＣｐｑの一群を単位としてスキャンを行う。具体的には、パネル駆動回路３０は、光源ユニット４１に対応する表示セルＣ１１−Ｃ５１の駆動ライン、光源ユニット４２に対応する表示セルＣ１２−Ｃ５２の駆動ライン、・・・、光源ユニット４９に対応する表示セルＣ１９−Ｃ５９の駆動ラインという順に列ごとに表示セルＣｐｑをスキャンしていく。このように、図１１に示した制御では、図９に示した表示パネル２０のＹ方向に入射するサイド光源４０の光入射方向と、表示セルＣｐｑのスキャン方向（Ｙ方向）とが同じになる。
【００７３】
図１１の例では、１回目のスキャンでは、光源駆動回路５０は、光源ユニット４１について赤色光源４１Ｒを点灯する。パネル駆動回路３０は、対応する１列目の表示セルＣ１１−Ｃ５１をスキャンし、赤色成分Ｒ１１−Ｒ５１を表示する。続いて、光源駆動回路５０は、隣接する光源ユニット４２の赤色光源４２Ｒを点灯し、パネル駆動回路３０は、対応する２列目の表示セルＣ１２−Ｃ５２をスキャンし、赤色成分Ｒ１２−Ｒ５２を表示する。以下、列ごとに同様の処理を繰り返し、光源駆動回路５０は、光源ユニット４９の赤色光源４９Ｒを駆動する。パネル駆動回路３０は、対応する９列目の表示セルＣ１９−Ｃ５９をスキャンし、赤色成分Ｒ１９−Ｒ５９を表示する。
【００７４】
２回目のスキャンでは、光源ユニット４１の点灯光源を赤色光源４１Ｒから緑色光源４１Ｇに切り換える。パネル駆動回路３０は、対応する１列目の表示セルＣ１１−Ｃ５１をスキャンし、緑色成分Ｇ１１−Ｇ５１を表示する。以下、列ごとに同様の処理を繰り返し、緑色成分Ｇ１９−Ｇ５９を表示する。
【００７５】
３回目のスキャンでは、光源駆動回路５０は、光源ユニット４１の点灯光源を緑色光源４１Ｇから青色光源４１Ｂに切り換える。パネル駆動回路３０は、対応する１列目の表示セルＣ１１−Ｃ５１をスキャンし、青色成分Ｂ１１−Ｂ５１を表示する。以下、列ごとに同様の処理を繰り返し、青色成分Ｂ１９−Ｂ５９を表示する。
【００７６】
こうして、赤色成分Ｒｐｑ、緑色成分Ｇｐｑ、青色成分Ｂｐｑが順次表示され、表示パネル２０に画像信号ＳＲＧＢに基づく画像が表示される。なお、図１１では、サイド光源４０を光源ユニット単位で制御するとしたが、光源ユニットをいくつかまとめたブロック単位でこの処理を行うとしてもよい。
【００７７】
また、図１１に示した例では、例えば、光源ユニット４１の赤色（Ｒ）光源を点灯し、表示セルＣ１１−Ｃ５１のスキャンを行った後の期間、光源ユニット４１は赤色（Ｒ）光源の点灯状態を保持しているが、これを消灯させるとしてもよい。光源ユニット４１から赤色（Ｒ）光源の入射光が必要となるのは、対応する表示セルＣ１１−Ｃ５１のスキャンが行われる期間であるので、この間だけ点灯するように制御してもよい。他の色、他の表示セルＣｐｑについても同様である。
このように制御を行うことで、サイド光源４０の消費電力を低減することができる。
【００７８】
また、フィールドシーケンシャル制御やラインシーケンシャル制御の他、例えば、単純マトリクス型の液晶パネルで知られている複数の走査電極を同時選択するマルチライン駆動法（Multi Line Selection）を用いるとしてもよい。
【００７９】
上記のように、表示装置１０では、同期駆動部７０によってパネル駆動回路３０による表示セルＣｐｑのスキャンと、光源駆動回路５０によるサイド光源４０の各色の切り換えと、が同期して行われる。これにより、表示セルＣｐｑに対応する光変調層８０にサイド光源４０から入射した入射光は、電極に電圧が印加されているときはその電圧の大きさに応じて散乱し、電圧が印加されないときは透過する。すなわち、表示装置１０は、電極に電圧が印加されない表示セルＣｐｑは透明状態で、電極に電圧が印加された表示セルＣｐｑは散乱状態で視認される。特に、第２の実施形態の表示装置１０は、電極に電圧を印加しない状態において、光変調層８０に含まれる液晶性モノマー８１と液晶分子８２とに屈折率の差がほとんどなく、高い透明性を得ることができる。
【００８０】
このような表示装置１０は、電極に電圧を印加していない状態において高い透明性を得ることができることから、従来のノーマルＰＤＬＣでは利用が難しかった分野に適用することができる。例えば、表示パネル２０の全体の表示セルＣｐｑの電極をオフしている状態を通常時としたとき、通常時には透明状態で、表示が必要になったときに画像信号ＳＲＧＢに基づいて表示パネル２０に画像を表示するといった利用が可能である。通常時の透明状態では、背面に配置したものが観察者に視認できることから、鏡や黒板等を配置しておくとしてもよい。通常状態では、観察者は鏡や黒板を視認して利用できるが、必要なときは鏡や黒板上に重ねて情報を表示することができる。
【００８１】
（３）変形例
次に、第２の実施形態の変形例について説明する。
図１１に示したラインシーケンシャル制御では、光変調層８０内に複数の色の光源が同時に入射される。例えば、光源をＬＥＤ（Light Emitting Diode）とした場合、比較的指向性の高い光が入射されるが、隣接する光源ユニット間で色が異なる色の境界では、入射光の色が混じってしまう恐れがある。クリアな表示のためには、入射光の混色を防止することが好ましい。
【００８２】
そこで、同期駆動部７０は、入射光の混色が生じないようにパネル駆動回路３０と光源駆動回路５０の駆動を制御する。具体的には、同期駆動部７０は、駆動対象の表示セルＣｐｑの列に隣接する表示セルＣｐｑの列には、同じ色の色光源の光が入射される状態か、光が入射されない状態となるように駆動制御を行う。
【００８３】
例えば、表示セルＣｐｑをサイド光源４０の光入射方向に平行にサブブロックを分割し、インターレース駆動を行う。なお、サブブロック内では、入射光の色は同じにする。例えば、図９に示した表示セルＣｐｑをサブブロックおきに交互にスキャンし、対象でないサブブロックの表示セルＣｐｑに対応する光源ユニットは消灯しておく。これにより、駆動されるサブブロックの表示セルＣｐｑに入射する入射光は混色することがない。
【００８４】
また、各光源ユニットにおいて光源の色を切り換える際に、光源の非点灯期間を設けるとしてもよい。例えば、図１１に示した光源ユニット４２の点灯光源を赤色光源４２Ｒから緑色光源４２Ｇに切り換える前の表示セルＣ１１−Ｃ５１のスキャンが行われている期間に非点灯時間を設ける。表示セルＣ１１−Ｃ５１のスキャン期間において、隣接する光源ユニット４２は非点灯であるため、表示セルＣ１１−Ｃ５１に入射する光は混色することがない。なお、次列の表示セルＣ１２−Ｃ５２のスキャン期間では、隣接する光源ユニット４１側は点灯しているが、光源ユニット４２と同じ色の光源を点灯しているので、混色は発生しない。もう一方に隣接する光源ユニット４３は、消灯しており、表示セルＣ１２−Ｃ５２のスキャンに影響はない。
【００８５】
このように、同期駆動部７０の制御によって入射光の混色を防止することができる。また、例えば、物理的に光の直進性を高め、隣接する光が混色しないようにする構成を備えることもできる。このような構成について図１２、１３を用いて説明する。
【００８６】
図１２は、第２の実施形態において入射光の直進性を高める構成の一例を示した図である。図１２は、入射光の直進性を高めるため、サイド光源４０と表示パネル２０との間に光変調層８０に入射するサイド光源４０の射出光の拡散を防止する入射光拡散防止部を備える構成である。入射光拡散防止部の一例として、高アスペクトパターン４０１あるいはレンズ４０２を配置する。
【００８７】
高アスペクトパターン４０１は、レジストパターンのアスペクト比を高くし、例えば、格子状あるいはハニカム状に光の通路を設けた形状を備える。図１２に示した高アスペクトパターン４０１ａは、格子状を有する高アスペクトパターン４０１の一例を示した斜視図である。サイド光源４０と表示パネル２０との間の入射光の通路に配置された高アスペクトパターン４０１を通過することにより、入射光の拡がりを抑える。
【００８８】
レンズ４０２は、サイド光源４０からレンズ４０２に入射した入射光を収束させる働きを有し、収束させた入射光を光変調層８０に射出することによって、入射光の直進性を高める。
【００８９】
図１３は、第２の実施形態において入射光の直進性を高める構成の他の例を示した図である。図１２に示した構成では、サイド光源４０と表示パネル２０との間に入射光拡散防止部を設けたが、図１３では光変調層８０内における入射光の拡がりを防ぐ層内光拡散防止部を設ける。図１３では、下側透明基板２２と上側透明基板２３との間の光変調層８０は省略している。
【００９０】
光変調層８０内に入射した光の直進性を高めるため、入射光が進む方向に沿って層内光拡散防止部を下側透明基板２２と上側透明基板２３とに設ける。図１３の例では、表示パネル２０の下側透明基板２２の光変調層８０側に導光パターン２４を設ける。また、上側透明基板２３の光変調層８０とは反対側にシリンドリカルパターン２５を設ける。なお、導光パターン２４と、シリンドリカルパターン２５とは、ともに設けるとしてもよいし、一方のみを設けるとしてもよい。
【００９１】
導光パターン２４は、隣接する表示セルＣｐｑの間、例えば、隣接する表示セルＣｐｑに対応する帯状電極と帯状電極との間に設けられる。導光パターン２４側に拡がった光は導光パターン２４によって反射され、中心側に戻される。これにより、光変調層８０内に入った入射光は、導光パターン２４によって設けられた通路内を直進することができる。
【００９２】
シリンドリカルパターン２５は、シリンドリカルレンズを上側透明基板２３にパターンとして形成したものであり、入射光をシリンドリカルパターン２５の延在方向の直線上に集光する働きを有する。これにより、光変調層８０内に入った入射光の拡がりを抑え、直進性を高めることができる。
【００９３】
また、サイド光源４０の光源として、直進性の高いレーザー光を用いるとしてもよい。
このように物理的に入射光の直進性を高めることによっても、混色のないクリアな画像を得られる。
【００９４】
［第３の実施形態］
次に、第３の実施形態として、第２の実施形態の表示パネル２０を複数枚重ねた構成について説明する。
上記の表示装置１０は、表示パネル２０が１枚の構成であったが、前述のように表示パネル２０は高い透明性を有するため、複数枚の表示パネル２０を重ねても観察者からは表示パネル２０が１枚の構成と同様の表示を視認することができる。
【００９５】
図１４は、第３の実施形態の表示パネルを複数重ねた構成例を示した図である。図２に示した表示装置１０と同様の構成は同じ番号を付し、説明は省略する。
【００９６】
表示装置１００は、画像出力部６０と、同期駆動部１７０と、３層の表示パネル２０Ｒ，２０Ｇ，２０Ｂと、表示パネル２０Ｒ，２０Ｇ，２０Ｂに対応するパネル駆動回路３０Ｒ，３０Ｇ，３０Ｂと、サイド光源４０Ｒ，４０Ｇ，４０Ｂと、サイド光源４０Ｒ，４０Ｇ，４０Ｂに対応する光源駆動回路５０Ｒ，５０Ｇ，５０Ｂと、を有する。図１４では、説明のため表示パネル２０Ｒ，２０Ｇ，２０Ｂの位置をずらして記載しているが、それぞれの表示領域は重なっている。
【００９７】
表示パネル２０Ｒ，２０Ｇ，２０Ｂと、パネル駆動回路３０Ｒ，３０Ｇ，３０Ｂとは、図２に示した表示パネル２０と、パネル駆動回路３０と同様である。
【００９８】
サイド光源４０Ｒ，４０Ｇ，４０Ｂは、図２に示したサイド光源４０の光源ユニット４１−４９がそれぞれ、赤色光源４ｎＲ、緑色光源４ｎＧ、青色光源４ｎＢを備えるのに対し、対象の表示パネル２０Ｒ，２０Ｇ，２０Ｂに単色の光を入射する。サイド光源４０Ｒは、赤色光源のみ、サイド光源４０Ｇは緑色光源のみ、サイド光源４０Ｂは青色光源のみで構成される。光源駆動回路５０Ｒ，５０Ｇ，５０Ｂは、図２に示した光源駆動回路５０と同様である。
【００９９】
このような構成によれば、表示パネル２０Ｒは、サイド光源４０Ｒからの入射光に応じて、表示パネル２０Ｒの表示セルＣｐｑに赤色成分Ｒｐｑを表示する。表示パネル２０Ｇは、サイド光源４０Ｇからの入射光に応じて、表示パネル２０Ｇの表示セルＣｐｑに緑色成分Ｇｐｑを表示する。そして、表示パネル２０Ｂは、サイド光源４０Ｂからの入射光に応じて、表示パネル２０Ｂの表示セルＣｐｑに青色成分Ｂｐｑを表示する。この表示パネル２０Ｒ，２０Ｇ，２０Ｂが重なることにより、観察者は、画像信号ＳＲＧＢに基づく表示を視認することができる。
【０１００】
なお、前述のように、表示セルＣｐｑに対応する電極に電圧が印加されていない透明状態において、表示セルＣｐｑは裏面から入射した光を射出することができる。例えば、表示パネル２０Ｂから射出された光は、表示パネル２０Ｇ及び表示パネル２０Ｒに対応する表示セルＣｐｑが透明状態であれば、観察者が視認することができる。
【０１０１】
そこで、同期駆動部１７０は、それぞれの表示パネル２０Ｒ，２０Ｇ，２０Ｂのスキャンラインがそれぞれ異なるようにパネル駆動回路３０Ｒ，３０Ｇ，３０Ｂと、光源駆動回路５０Ｒ，５０Ｇ，５０Ｂと、を制御する。同期駆動部１７０は、画像出力部６０から入力する画像信号ＳＲＧＢに基づき、同期信号ＳＴＭと、表示セル駆動信号ＳＣＥＬと、光源駆動信号ＬＲＧＢと、を生成する。表示セル駆動信号ＳＣＥＬと、光源駆動信号ＬＲＧＢとは、色成分ごとに分離され、対応する色のパネル駆動回路３０Ｒ，３０Ｂ，３０Ｇと、光源駆動回路５０Ｒ，５０Ｇ，５０Ｂに出力される。パネル駆動回路３０Ｒ，３０Ｂ，３０Ｇは、予めスキャンを開始するラインが異なるように決められており、同期駆動部１７０は、開始するラインに合わせて制御信号を調整する。
【０１０２】
例えば、パネル駆動回路３０Ｒ，３０Ｇ，３０Ｂが、表示パネル２０Ｒ，２０Ｇ，２０Ｂの行を選択し、行方向（水平方向）に順次表示セルＣｐｑをスキャンしていく場合には、それぞれの開始行をずらす。パネル駆動回路３０Ｒは１行目から、パネル駆動回路３０Ｇは２行目から、パネル駆動回路３０Ｂは３行目からスキャンを開始するとし、それぞれのパネル駆動回路３０Ｒ，３０Ｇ，３０Ｂは同期してスキャンを行う。スキャンする行が表示パネル２０Ｒ，２０Ｇ，２０Ｂでずれているため、例えば、下層の表示パネル２０Ｇから射出された光は、対応する行の電極に電圧が印加されていない上層の表示パネル２０Ｒを透過し、観察者によって視認される。同様に、下層の表示パネル２０Ｂから射出された光は、上層の表示パネル２０Ｇ，２０Ｒを透過し、視認される。
【０１０３】
このような構成によれば、１枚の表示パネル２０当たりのサイド光源４０に配列する各色光源の色数を減らすことができるので、表示パネル２０が１枚である場合と比較し、表示セルＣｐｑをより小さくできる。また、各パネル駆動回路３０Ｒ，３０Ｇ，３０Ｂは、それぞれの色のスキャンを行うだけでよいので、１枚の表示パネル２０で構成する場合と比較し、詳細な表示が可能となる。また、表示セルＣｐｑの大きさが、表示パネル２０が１枚の場合と同じであれば、より高速に画像を更新することが可能となる。
なお、上記の構成では、表示パネル２０を３枚積層する構成としたが、本発明はこれに限定されない。例えば、表示パネル２０を２枚積層し、一方を赤色表示用、他方を青色と緑色表示用とするとしてもよい。また、表示パネル２０を４枚積層し、例えば、赤色、緑色、青色の表示用に加え、白色を表示する表示パネル２０をさらに加えるとしてもよい。もちろん、サイド光源４０が同じ色を射出する表示パネル２０を複数枚積層するとしてもよい。
【０１０４】
［第４の実施形態］
次に、第４の実施形態について説明する。
第２の実施形態では、光源をサイド光源としたが、第４の実施形態は、光源を外部光源とした構成を備える。
図１５は、第４の実施形態の表示装置の構成の一例を示した図である。図２に示した表示装置１０と同様の構成は同じ番号を付し、説明は省略する。
【０１０５】
表示装置２００は、表示パネル２０と、パネル駆動回路３０と、画像出力部６０と、外部光源２４０と、外部光源駆動部２５０と、同期駆動部２７０と、を有する。
表示パネル２０と、パネル駆動回路３０と、画像出力部６０とは、図２に示した同じ番号の構成と同様である。
【０１０６】
外部光源２４０は、赤色の光を射出する赤色外部光源２４０Ｒと、緑色の光を射出する緑色外部光源２４０Ｇと、青色の光を射出する青色外部光源２４０Ｂと、を有し、表示パネル２０の外に配置され、表示パネル２０に向けて各色の光を射出する。なお、サイド光源４０と同様に、外部光源２４０の各色光源の色は任意である。また、外部光源２４０は、表示パネル２０に光を入射できれば、どこに配置されていてもよい。
【０１０７】
外部光源駆動部２５０は、同期駆動部２７０から同期信号ＳＴＭと、光源駆動信号ＬＲＧＢを取得し、外部光源２４０を駆動する。
同期駆動部２７０は、画像出力部６０から画像信号ＳＲＧＢを取得し、パネル駆動回路３０による表示セルＣｐｑのスキャンタイミングと、外部光源駆動部２５０による外部光源２４０の駆動タイミングとを同期させる同期信号ＳＴＭと、表示セル駆動信号ＳＣＥＬと、光源駆動信号ＬＲＧＢとを生成する。同期信号ＳＴＭ、表示セル駆動信号ＳＣＥＬ及び光源駆動信号ＬＲＧＢは、図８に示した信号と同様の信号が生成される。
【０１０８】
このような構成の表示装置２００において、例えば、フィールドシーケンシャル制御による表示について説明する。外部光源駆動部２５０は、パネル駆動回路３０による表示パネル２０の表示セルＣｐｑのスキャンが一巡するごとに、外部光源２４０の出力光源を切り換える。外部光源駆動部２５０が赤色外部光源２４０Ｒを駆動するタイミングで、パネル駆動回路３０は赤色成分Ｒｐｑに基づいて表示セルＣｐｑをスキャンする。他の色についても同様である。外部光源２４０より入射した入射光は、表示セルＣｐｑの電極に電圧が印加されているとき、表示セルＣｐｑの光変調層領域で散乱されて、表示パネル２０から射出される。表示セルＣｐｑの電極に電圧が印加されていないときは、外部光源２４０の入射光は、光変調層８０内を透過する。これにより、観察者は表示セルＣｐｑの透明状態を視認できる。
【０１０９】
このように、光源がサイド光源４０から外部光源２４０になっても、同期駆動部２７０は、サイド光源４０の場合と同様にして、表示パネル２０に画像を表示することができる。すなわち、同期駆動部２７０は、外部光源駆動部２５０と、パネル駆動回路３０とを制御し、対象の表示セルＣｐｑについて、外部光源２４０から光が入射するタイミングと、対応する電極に電圧を印加するタイミングとを同期させることにより、表示を行う。
【０１１０】
また、このようにサイド光源４０と外部光源２４０とを同様に取り扱うことができるので、表示装置２００では、サイド光源４０と、外部光源２４０とを混在して配置することができる。例えば、サイド光源４０として赤色光源４ｎＲと、緑色光源４ｎＧと、からなる光源ユニットを配置し、外部光源２４０として青色外部光源２４０Ｂを配置するとしてもよい。この場合、例えば、図１０に示したフィールドシーケンシャル制御において、サイド光源４０が青色光源４ｎＢを点灯していた期間を青色外部光源２４０Ｂの点灯期間に置き換えることができる。
このように、サイド光源４０のうちの１色を外部光源２４０に置き換えることによって、サイド光源４０の配置間隔を細かくすることができ、より精細な表示が可能となる。例えば、図６に示したように、赤色光源４１Ｒ、緑色光源４１Ｇ、青色光源４１Ｂの３つが表示セルＣｐｑの配列方向に並んでいた場合、色光源を２つにすることにより、表示セルＣｐｑのサイド光源４０方向の幅を狭くすることができる。
【０１１１】
また、図１４に示した複数枚の表示パネル２０を積層する構成において、１または複数の表示パネル２０への入射光を外部光源２４０で行うとするとしてもよい。
なお、サイド光源４０から入射する光の色と、外部光源２４０として入射する光の色と、は任意に組み合わせすることができる。
【０１１２】
［第５の実施形態］
次に、第５の実施形態について説明する。
第２の実施形態では、入射光あるいは射出光を自然光としたが、第５の実施形態は、偏光光を利用した構成を備える。
【０１１３】
図１６は、第５の実施形態の表示装置の構成の一例を示した図である。図２に示した表示装置１０と同様の構成は同じ番号を付し、説明は省略する。
表示装置３００は、画像出力部６０と、同期駆動部３７０と、表示パネル３２１，３２２と、パネル駆動回路３３１，３３２と、サイド光源（Ｇ）３４１と、サイド光源（Ｒ，Ｂ）３４２と、光源駆動回路３５１，３５２と、を有する。図１６では、説明のため表示パネル３２１，３２２の位置をずらして記載しているが、それぞれの表示領域は重なっている。
【０１１４】
表示パネル３２１は、図３に示した表示パネル２０と同様の構成を有し、パネル駆動回路３３１によって、表示セルＣｐｑに対応する電極に色情報に応じた電圧が印加され、対応する光変調層領域に電場が生じる。また、光変調層８０には、サイド光源（Ｇ）３４１からの光が入射する。図１６の例では、サイド光源（Ｇ）３４１は、緑色の光を発光する緑色光源のみから構成される。図３に示した表示パネル２０との違いは、表示パネル３２１は配向処理（例えばラビング処理や光配向処理）によって、図１６に示した配向方向３８１に配向されていることである。
【０１１５】
表示パネル３２２は、表示パネル３２１と同様の構成を有し、パネル駆動回路３３２によって、表示セルＣｐｑに対応する電極が駆動され、対応する光変調層領域に電場が生じる。また、光変調層領域には、サイド光源（Ｒ，Ｂ）３４２からの光が入射する。なお、サイド光源（Ｒ，Ｂ）３４２は、赤色の赤色光源（Ｒ）と、青色の青色光源（Ｂ）とを有する。表示パネル３２１と同様に、表示パネル３２２は配向処理によって、図１６に示した配向方向３８２に配向されている。
【０１１６】
同期駆動部３７０は、画像出力部６０から画像信号ＳＲＧＢを取得し、パネル駆動回路３３１及び光源駆動回路３５１と、パネル駆動回路３３２及び光源駆動回路３５２と、を同期駆動する。なお、同期駆動部３７０は、対象の表示セルＣｐｑにおいて、光源駆動回路３５１が対応する色の光を入射するタイミングと、パネル駆動回路３３１が対応する電極に電圧を印加するタイミングと、を同期させる。パネル駆動回路３３２と光源駆動回路３５２についても同様である。一方、表示パネル３２１と、表示パネル３２２とは、少なくとも１画像フレーム周期のタイミングがあっていればよい。図１４に示した表示パネル２０を積層した場合のように、表示パネル間で厳密にタイミングを合わせなくてもよい。詳細は後述する。
【０１１７】
次に、表示パネル３２１，３２２の配向について説明する。
図１６に示した例では、配向方向３８１，３８２は光変調層８０の水平方向に配向されており、例えば、配向処理で配向されるとする。この場合、光変調層８０の液晶性モノマー８１は、配向方向に沿った筋構造の長手方向に配向される。この状態で電場がかかると、液晶分子８２は、筋構造の長手方向に倒れやすくなり、全体として液晶分子８２の傾斜方位が配向方向に揃う。
第５の実施形態の表示パネル３２１，３２２は、パネル駆動回路３３１，３３２が電極に電圧を印加し、光変調層領域に電場が生じたときに、光変調層領域内の液晶分子８２の傾斜方位が揃う。これにより、光変調層領域からは、方向が揃った偏光光が射出される。図１６の例では、積層される表示パネル３２１の配向方向３８１と、表示パネル３２２の配向方向３８２とが同じであり、表示パネル３２１と、表示パネル３２２のいずれからも、配向方向と同じ方向に偏光した光が射出される。
【０１１８】
さらに、裏面側の表示パネル３２２から射出した光は、上層の表示パネル３２１に入射する。表示パネル３２１の光変調層８０も同じ配向方向３８１に形成されており、裏面からの入射光が配向方向と同じ方向に偏光していれば、この入射光は光変調層８０を透過することができる。透過は、光変調層８０に電場が生じている場合にも有効である。
このように、偏光光を用いることによって、表示装置３００は、表示パネル３２１，３２２を重ねても、表示パネル３２１側にいる観察者が、両方の表示パネル３２１，３２２から射出される光を視認することができる。
【０１１９】
なお、上記の構成では、表示パネル３２１，３２２の配向を水平配向としたが、本発明はこれに限定されない。代表的な配向形態には、水平方向と垂直方向の２種類があるが、電極に電圧を印加した時の液晶分子の傾斜方位を揃えることができれば、どのような配向方法を用いてもよい。水平配向であれば、図１６に示したように、表示パネル３２１と表示パネル３２２とに配向処理を施し、表示パネル３２１と、表示パネル３２２とで配向方向が同じになるように積層する。また、垂直配向であれば、例えば、プレチルト形成できる配向膜や、微細電極のフリンジ電界によって傾斜方位を制御するＰＶＡ（Patterned Vertical Alignment）や、樹脂テープパターンを形成するＭＶＡ（Multi-domain Vertical Alignment）等が知られている。
【０１２０】
以下、表示装置３００の表示機能について説明する。
表示装置３００では、サイド光源（Ｒ，Ｂ）３４２から表示パネル３２２の光変調層８０に向けて側面から入射光が入射される。この入射光は、偏光のない自然光である。入射光が入射した表示セルＣｐｑに対応する電極に電圧が印加され、表示セルＣｐｑの光変調層領域に電場が生じると、入射光が散乱される。散乱光は、配向方向に沿った液晶性モノマー８１の筋方向に偏光し、射出光として表示パネル３２２から射出される。
【０１２１】
図１７は、第５の実施形態の偏光光の射出量の一例を示した図である。
図１７（Ａ）筋方向と一致する偏光光の射出量は、表示パネル３２１，３２２から射出される液晶性モノマー８１の筋方向、すなわち、配向方向と一致する方向に偏光した偏光光の射出量を示した図である。図１７（Ａ）は、射出光には、配向方向と一致する偏光方向の光の射出量が多いことを示している。
図１７（Ｂ）筋方向と垂直な偏光光の射出量は、表示パネル３２１，３２２から射出される筋方向に垂直な方向に偏光した偏光光の射出量を示した図である。図１７（Ｂ）は、射出光には、配向方向に垂直な偏光方向の光の射出量が少ないことを示している。
【０１２２】
このように、表示パネル３２１，３２２から射出される光は、配向方向に偏光している。なお、裏面側の表示パネル３２２から射出した光は、上層側の表示パネル３２１に入射する。このときの上層側の表示パネル３２１の動作について説明する。
【０１２３】
図１８は、第５の実施形態の裏面から入射した光の偏光方向による透過率と駆動電圧との関係の一例を示した図である。Ｓ偏光は、入射光の偏光方向と、液晶性モノマー８１の筋方向（配向方向）とが一致する場合の透過率を示している。Ｐ偏光は、入射光の偏光方向と、液晶性モノマー８１の筋方向とが直交する場合の透過率を示している。駆動電圧は、光変調層８０に電場を形成する電極にかかる電圧である。
【０１２４】
図１８から明らかなように、駆動電圧が０付近であり、光変調層８０に電場が生じていない状態では、偏光方向が配向方向と一致する入射光（Ｓ偏光）も、偏光方向が配向方向と直交する入射光（Ｐ偏光）も光変調層８０を透過し、表示パネル３２１，３２２から射出される。電極に駆動電圧が印加され、光変調層８０が散乱状態にあるときは、偏光方向が配向方向と直交する入射光（Ｐ偏光）は、光変調層８０によって散乱され、ほとんど透過しない。一方、偏光方向が配向方向と一致する入射光（Ｓ偏光）は、光変調層８０において散乱されず、光変調層８０を透過する。
【０１２５】
次に、このような構成を有する表示装置３００における表示制御について説明する。図１４に示した第３の実施形態の表示装置１００では、積層した表示パネル２０Ｒ，２０Ｇ，２０Ｂにおいて、下層の表示パネル２０Ｂ，２０Ｇの射出光を上層の表示パネル２０Ｒで透過させるため、各表示パネル２０Ｒ，２０Ｇ，２０Ｂのスキャンラインをずらす必要があったが、表示装置３００ではその必要はない。
【０１２６】
図１９は、第５の実施形態の表示装置の表示制御の一例を示した図である。図１９は、パネル駆動回路３３１，３３２と、光源駆動回路３５１，３５２を省略している。
表示装置３００では、同期駆動部３７０によって、パネル駆動回路３３１及びサイド光源（Ｇ）３４１と、パネル駆動回路３３２及びサイド光源（Ｒ，Ｂ）３４２と、が同期駆動している。ここでは、上層の表示パネル３２１と、下層の表示パネル３２２のスキャンラインは同じであるとし、上下に重なるそれぞれの表示パネル３２１，３２２の表示セルＣｐｑが同期して駆動される場合について説明する。
【０１２７】
一例として、最初に、表示パネル３２１の表示セルＣ２７ａと、表示セルＣ２７ａに重なる表示パネル３２２の表示セルＣ２７ｂとが同期して駆動される場合について説明する。下層の表示パネル３２２の表示セルＣ２７ｂには、画像信号ＳＲＧＢの赤色成分Ｒ２７に基づき、サイド光源（Ｒ，Ｂ）３４２から赤色光が入射するとともに、表示セルＣ２７ｂに対応する電極に電圧が印加される。これにより、表示セルＣ２７ｂの光変調層領域は、入射した赤色光を散乱し、赤色光Ｌｒ１を射出する。赤色光Ｌｒ１は、表示パネル３２２の配向方向３８２と同じ偏光方向（図１９のＸ方向）に偏光している。この赤色光Ｌｒ１は、上層の表示パネル３２１の表示セルＣ２７ａに裏面から入射する。図１９に示した例では、表示セルＣ２７ａに対応する電極には電圧が印加されておらず、入射した赤色光Ｌｒ１はそのまま表示セルＣ２７ａを透過する。こうして、下層の表示セルＣ２７ｂの射出した赤色光Ｌｒ１は、観察者に視認される。
【０１２８】
次に、表示パネル３２１の表示セルＣ３２ａと、表示セルＣ３２ａに重なる表示パネル３２２の表示セルＣ３２ｂとが同期して駆動される場合について説明する。下層の表示パネル３２２の表示セルＣ３２ｂには、サイド光源（Ｒ，Ｂ）３４２から青色光が入射するとともに、表示セルＣ３２ｂに対応する電極に電圧が印加される。表示セルＣ３２ｂの光変調層領域は、入射した青色光を散乱し、青色光Ｌｂ１を射出する。青色光Ｌｂ１は、表示パネル３２２の配向方向３８２と同じ偏光方向（図１９のＸ方向）に偏光している。この青色光Ｌｂ１は、上層の表示パネル３２１の表示セルＣ３２ａに裏面から入射する。図１８に示したように、表示装置３００の光変調層８０は配向方向３８１と同じ方向に偏光する光を透過するので、表示セルＣ３２ａは青色光Ｌｂ１を透過する。さらに、図１９に示した例では、表示セルＣ３２ａにはサイド光源（Ｇ）３４１から緑色光が入射されるとともに、表示セルＣ３２ａに対応する電極に電圧が印加される。表示セルＣ３２ａは、入射した緑色光を散乱し、緑色光Ｌｇ１を射出する。なお、緑色光Ｌｇ１も配向方向３８１と同じ偏光方向（図１９のＸ方向）に偏光している。このように、表示セルＣ３２ａは、透過した表示パネル３２２の青色光Ｌｂ１と、サイド光源（Ｇ）３４１からの入射光を散乱した緑色光Ｌｇ１と、を射出する。こうして、青色光Ｌｂ１と緑色光Ｌｇ１とが観察者に視認される。
【０１２９】
このように、表示装置３００では、上層の表示パネル３２１は、裏面から入射した偏光方向が配向方向と一致する下層の表示パネル３２２からの光を透過するとともに、サイド光源（Ｇ）３４１から入射した光を散乱し、射出することができる。これにより、積層した表示パネル３２１，３２２により１つの画像信号ＳＲＧＢの画像を表示することができる。各色の処理を複数の表示パネルで分担して行うことができるので、駆動できるライン数を増やすことができる。また、表示に奥行き感を出すこともできる。
【０１３０】
なお、図１９には表示パネル３２１，３２２の２枚を積層する構成について示したが、表示パネル３２１，３２２と同様の構造を有する表示パネルをそれぞれの配向方向を揃えて配置すれば、積層する表示パネルの枚数は何枚であってもよい。図３、４を用いて説明したように、表示装置３００が備える光変調層８０は、電場が生じていない状態で高い透明性を有している。また、図１８に示したように、偏光方向が配向方向と同じ裏面からの入射光に対しても高い透過率を有していることから、複数枚の表示パネルを重ねても高い透明性と、クリアな表示を実現することができる。
【０１３１】
また、表示装置３００では、表示セルＣｐｑで散乱させる光の光源としてサイド光源３４１，３４２を用いる構成としたが、図１５に示したような外部光源２４０を用いるとしてもよい。なお、ここでの外部光源２４０は、偏光していない光であるとする。外部光源２４０の場合も、サイド光源３４１，３４２と同様の光が表示パネル３２１，３２２から射出される。すなわち、対応する表示セルＣｐｑに対応する電極に電圧が印加されたとき、表示セルＣｐｑの光変調領域の液晶分子８２は配向方向に揃って傾斜する。これにより、外部光源２４０から入射する入射光が散乱された散乱光もまた、配向方向に偏光した光として射出される。
なお、サイド光源３４１，３４２と、外部光源２４０とは同様に駆動できるので、表示装置３００を外部光源２４０とサイド光源３４１，３４２とが混在する構成としてもよい。
【０１３２】
このように、偏光した光を利用することにより、表示パネル３２１の表示セルＣｐｑに、散乱と透過を同時に発生させることができる。すなわち、表示セルＣｐｑに対応する電極に電圧を印加した状態において、光変調層８０の表面あるいは裏面から入射する光の透過と散乱を入射する光の偏光面に応じて切り換えることができる。図２から１５を用いて説明した散乱状態と透過状態の切り換えに加え、偏光光を用いた表示制御を行うことにより、表示バリエーションを豊富にすることができる。
以下では、配向を施し、電圧印加時の液晶分子の傾斜方位を揃えた表示パネルを有する実施形態について図２０、２１、２２、２３を用いて説明する。なお、サイド光源または外部光源の形態を有する光源の点灯と、表示セルＣｐｑに対応する電極への電圧印加とが、同期駆動されることは以下に示す構成でも同様である。このため、以下の構成における同期駆動についての説明は省略する。
【０１３３】
［第６の実施形態］
次に、第６の実施形態について説明する。
第５の実施形態では、配向方向が同じ表示パネルを複数枚重ねる構成について示したが、第６の実施形態では表示パネルを１枚で構成する。第５の実施形態では、サイド光源３４１，３４２から入射する入射光を偏光されていない自然光としたが、第６の実施形態では、偏光光を入射する構成を有する。
図２０は、第６の実施形態の表示装置の構成の一例を示した図である。（Ａ）は、プロジェクタ投影の場合を、（Ｂ）は、プロジェクタ非投影の場合を示している。
【０１３４】
表示装置４００は、表示パネル４２０と、サイド光源４４０と、外部光源であるプロジェクタ光源４４１と、を有する。表示パネル４２０は、光変調層８０を備え、配向方向４２８が図２０の水平方向（Ｘ方向）となるように処理されている。サイド光源４４０は、表示パネル４２０の側面から所定の色の光を入射する。
【０１３５】
プロジェクタ光源４４１は、外部から表示パネル４２０の光変調層８０に対し光を入射する。サイド光源４４０から入射する色の光と合わせることにより、画像信号ＳＲＧＢの画像を表示することができる。プロジェクタ光源４４１は、選択した偏光方向に偏光した光を射出することができる。図２０の例では、水平方向の配向方向４２８と直交する方向に偏光するプロジェクタ光源入射光ＰＬ１と、配向方向４２８に平行な方向に偏光するプロジェクタ光源入射光ＰＬ３とを選択できるとする。
【０１３６】
図２０（Ａ）は、プロジェクタ光源４４１から配向方向４２８と直交する方向に偏光するプロジェクタ光源入射光ＰＬ１を表示パネル４２０に入射した場合を示している。プロジェクタ光源入射光ＰＬ１が入射する表示パネル４２０の表示セルＣｐｑは、電極に電圧が印加され、電場が生じている。表示セルＣｐｑに対応する光変調層領域は、裏面から入射した光が、配向方向４２８に平行な偏光方向を持つ光であるときはこの光を透過させる。一方、配向方向と直交する方向に偏光方向を持つ光は、散乱する。プロジェクタ光源入射光ＰＬ１の偏光方向は配向方向と直交するので、光変調層領域において散乱される。この散乱光ＰＬ２が外部に射出され、観察者が視認可能となる。すなわち、プロジェクタ光源４４１から出射された光は、表示パネル４２０に投影される。
【０１３７】
一方、図２０（Ｂ）は、プロジェクタ光源４４１から配向方向４２８と平行な方向に偏光するプロジェクタ光源入射光ＰＬ３を表示パネル４２０に入射した場合を示している。プロジェクタ光源入射光ＰＬ３が入射する表示パネル４２０の表示セルＣｐｑは、電極に電圧が印加され、電場が生じていることは、図２０（Ａ）の場合と同様である。表示セルＣｐｑに対応する光変調層領域は、配向方向４２８と入射するプロジェクタ光源入射光ＰＬ３の偏光方向が平行であるので、この透過光ＰＬ４となり、光変調層領域を透過する。すなわち、プロジェクタ光源４４１から出射された光は、表示パネル４２０に投影されない。
【０１３８】
このように、表示装置４００は、表示パネル４２０の光変調層８０が所定の配向方向に配向されて電極に電圧が印加されたときの液晶分子８２の傾斜方位が揃うように形成されている。したがって、対象の表示セルＣｐｑの電極に電圧が印加されている状態において、当該表示セルＣｐｑに入射するプロジェクタ光源４４１の偏光方向を制御することにより、透過状態と表示状態とを切り替えることができる。図２０の例では、プロジェクタ光源４４１からの入射光が配向方向と直交する場合、入射光は散乱して散乱光ＰＬ２となる。プロジェクタ光源４４１からの入射光が配向方向に平行であれば、入射光は表示セルＣｐｑの光変調層領域を透過する。
【０１３９】
［第７の実施形態］
次に、第７の実施形態について説明する。
第６の実施形態では、表示パネルが１枚でプロジェクタ光源を用いた構成について示したが、第７の実施形態では表示パネルが２枚の構成に光源としてプロジェクタ光源を用いた場合について説明する。図２１は、第７の実施形態の表示装置の構成の一例を示した図である。なお、表示パネル５２１の面と、表示パネル５２２の面とが重なっていることは、第５の実施形態と同様である。
【０１４０】
表示装置５００は、表示パネル５２１と、サイド光源（Ｒ）５４１と、表示パネル５２２と、サイド光源（Ｂ）５４２と、プロジェクタ光源５４３と、を有する。
表示パネル５２１は、光変調層８０を有し、配向方向５２８は、図２１の水平方向（Ｘ方向）になる。サイド光源（Ｒ）５４１は、表示パネル５２１の側辺に配置される。
【０１４１】
表示パネル５２２は、光変調層８０を有し、配向方向５２９は表示パネル５２１の配向方向５２８と直交する垂直方向（Ｙ方向）になる。サイド光源（Ｂ）５４２は、表示パネル５２２の側辺であって、サイド光源（Ｒ）５４１とは直交する方向に配置される。
なお、偏光射出や光取出し効率の点で、サイド光源の長さ方向と配向方向が同じであることが好ましい。このため、サイド光源（Ｂ）５４２は、サイド光源（Ｒ）５４１と位置が異なる。
【０１４２】
プロジェクタ光源５４３は、青色光Ｌｂ２と、緑色光Ｌｇ２とを表示パネル５２１に向けて射出する。図２１の例では、プロジェクタ光源５４３から射出される青色光Ｌｂ２は図２１の水平方向（Ｘ方向）に偏光する光であり、偏光方向は、表示パネル５２１の配向方向５２８と平行で、表示パネル５２２の配向方向５２９と直交する。緑色光Ｌｇ２は、垂直方向（Ｙ方向）に偏光する光であり、偏光方向は、表示パネル５２１の配向方向５２８と直交し、表示パネル５２２の配向方向５２９と平行である。
【０１４３】
このような表示装置５００の表示パネル５２１では、サイド光源（Ｒ）５４１から表示パネル５２１内に入射した光は、対応する表示セルＣ３９ａの電極に電圧が印加されると、そこで散乱され、赤色光Ｌｒ２を射出する。赤色光Ｌｒ２は、配向方向５２８と同じ方向に偏光している。プロジェクタ光源５４３から表示パネル５２１に向けて射出された緑色光Ｌｇ２は、偏光方向が配向方向５２８と直交しているので、対応する表示セルＣ２６ａの電極に電圧が印加されると、緑色光Ｌｇ２が散乱される。一方、青色光Ｌｂ２は、偏光方向が配向方向５２８と同じであるので、対応する表示セルＣ２３ａの電極に電圧が印加されていても表示セルＣ２３ａを透過し、表示パネル５２２に射出する。
【０１４４】
表示パネル５２１を透過し、表示パネル５２２に入射した青色光Ｌｂ２は、偏光方向が表示パネル５２２の配向方向５２９と直交するため、表示パネル５２２において散乱される。
プロジェクタ光源５４３から射出される光の偏光方向に応じて、表示セルＣ２６ａのように上層の表示パネル５２１に表示させたり、表示セルＣ２３ａ，Ｃ２３ｂのように上層の表示パネル５２１を透過させ、下層の表示パネル５２２で表示させたりすることができる。
【０１４５】
また、プロジェクタ光源５４３からの出射光の偏光方向を切り換え、青色光Ｌｂ２を上層の表示パネル５２１の配向方向と直交させ、緑色光Ｌｇ２を上層の表示パネル５２１の配向方向と平行にすれば、表示は逆になる。このように、上層の表示パネル５２１の配向方向５２８と、下層の表示パネル５２２の配向方向５２９とを直交させ、プロジェクタ光源５４３が発光する光の偏光方向を切り換えることにより、表示パネル５２１と、表示パネル５２２とで異なる画像を表示させることができる。プロジェクタ光源５４３から射出される光の偏光方向は、偏光方向を回転させる素子をプロジェクタ光源５４３と表示パネル５２１との間に配置することにより実現することができる。プロジェクタ光源５４３がこのような機能を有しているとしてもよい。
【０１４６】
なお、図２１の構成では、上層の表示パネル５２１の配向方向と、下層の表示パネル５２２の配向方向とを直交するように構成したが、上層と下層とで同じ配向方向とし、間に偏光面を変える層を配置することもできる。
【０１４７】
図２２は、第７の実施形態の表示装置の第１の変形例を示した図である。図２１と同じものには同じ番号を付し、説明は省略する。
表示装置５０１は、表示パネル５２１と、表示パネル５２３とが、間にλ／２位相差板５６０を挟んで積層される構成を有する。表示パネル５２１の面と、表示パネル５２３の面とは、重なっている。
【０１４８】
表示パネル５２１、サイド光源（Ｒ）５４１及びプロジェクタ光源５４３は、図２１と同様である。
表示パネル５２３は、配向方向５３０が表示パネル５２１の配向方向５２８と同じ水平方向（Ｘ方向）である点と、サイド光源（Ｂ）５４４の位置が異なる点で表示パネル５２２と異なる他は、表示パネル５２２と同様である。
【０１４９】
λ／２位相差板５６０は、表示パネル５２１と表示パネル５２３との間に配置され、透過する光の偏光面を変える。
このような構成の表示装置５０１において、プロジェクタ光源５４３から表示パネル５２１に向けて、偏光方向が表示パネル５２１の配向方向５２８と同じ青色光Ｌｂ３と、緑色光Ｌｇ３とが射出される場合について説明する。
【０１５０】
青色光Ｌｂ３と緑色光Ｌｇ３の偏光方向と表示パネル５２１の配向方向５２８は同じであるので、青色光Ｌｂ３と緑色光Ｌｇ３とは、表示パネル５２１を透過し、λ／２位相差板５６０に入射する。青色光Ｌｂ３と緑色光Ｌｇ３とは、対応する表示セルＣ２４ａ，Ｃ２６ａの電極に電圧が印加されていない状態であるときはもちろん、電圧が印加されている状態でも表示セルＣ２４ａ，Ｃ２６ａを透過することができる。λ／２位相差板５６０を通過した青色光Ｌｂ３と緑色光Ｌｇ３の偏光面が変わり、表示パネル５２３の配向方向５３０に対して垂直方向の偏光面になる。表示パネル５２３では、対応する表示セルＣ２４ｂ，Ｃ２６ｂの電極に電圧が印加されているときは、青色光Ｌｂ３と緑色光Ｌｇ３とが散乱される。
【０１５１】
図２３は、図２２の構成に偏光方向の異なるプロジェクタ光を入射した場合を示した図である。
青色光Ｌｂ４については、図２２に示した青色光Ｌｂ３の場合と同様である。プロジェクタ光源５４３から射出された青色光Ｌｂ４は表示パネル５２１を透過し、λ／２位相差板５６０において偏光面が切り換えられた後、表示パネル５２３の表示セルＣ２４ｂにおいて散乱する。
【０１５２】
一方、緑色光Ｌｇ４は、図２２とは異なり、偏光方向が表示パネル５２１の配向方向５２８に対して直交する。このため、緑色光Ｌｇ４は、表示パネル５２１の表示セルＣ２６ａにおいて散乱される。
これにより、表示パネル５２１では、プロジェクタ光源５４３の緑色光Ｌｇ４と、サイド光源（Ｒ）５４１の赤色光Ｌｒ４が対応する表示セルＣｐｑで散乱され、観察者によって視認される。また、表示パネル５２３では、プロジェクタ光源５４３の青色光Ｌｂ４と、サイド光源（Ｂ）５４４の青色光が対応する表示セルＣｐｑで散乱され、観察者によって視認される。
このように、表示パネル５２１と表示パネル５２３との間に、入射光の偏光面を切り換える層を設けることにより、表示パネル５２１と表示パネル５２３とで表示を切り換えることができる。
【０１５３】
なお、上記の構成は一例であり、本発明はこれに限定されない。積層される表示パネルの枚数とその配向方向と、表示パネル間への入射光の偏光面を切り換える層の配置と、プロジェクタ光源の偏光方向等を組み合わせ、所望の表示を行うことが可能である。
【０１５４】
なお、上記の処理機能は、コンピュータによって実現することができる。その場合、表示装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスクドライブ（ＨＤＤ；Hard Disk Drive）、フレキシブルディスク（ＦＤ）、磁気テープなどがある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）などがある。光磁気記録媒体には、ＭＯ（Magneto-Optical disk）などがある。
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１５５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１５６】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【０１５７】
（１）開示される発明の一態様は、
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記光変調層の側面から前記光変調層に所定の色の光を入射する光源と、
を有し、
前記光変調層は、前記電場が生じていないときは前記光源から入射した入射光を透過し、前記電場が生じているときは前記入射光を散乱して前記透明基板に射出する、
表示装置である。
【０１５８】
（２）開示される発明の一態様は、
前記一対の透明基板は、前記光変調層側と反対の外面側が開放されており、
前記光変調層は、当該光変調層に前記電場が生じていないときは、前記透明基板と前記光変調層とを貫通する貫通方向の光を透過する透過性を備え、前記一対の透明基板の一方の外面側から入射した光を前記貫通方向に透過させ、前記一対の透明基板の他方の外面側に射出する、
（１）記載の表示装置である。
【０１５９】
（３）開示される発明の一態様は、
前記電極は、表示領域を分割した分割領域を表示単位として、前記表示単位に前記電場を発生し、
前記光源は、それぞれ独立して動作して前記表示単位に異なる色の光を入射する複数の色光源を有し、
前記表示領域の色情報を取得し、前記色情報に基づいて前記表示単位ごとに、前記色情報に応じた前記色光源の点灯と、前記電極への電圧印加とを同期駆動する駆動部を有する、
（１）または（２）に記載の表示装置である。
【０１６０】
（４）開示される発明の一態様は、
前記光源は、第１原色を発光する第１色光源と、第２原色を発光する第２色光源と、第３原色を発光する第３色光源と、を有し、
前記駆動部は、１画像表示フレームの期間に、前記表示単位ごとに、前記第１色光源を点灯して前記色情報に含まれる前記第１原色の色成分に応じた電圧を前記電極に印加し、前記第２色光源を点灯して前記色情報に含まれる前記第２原色の色成分に応じた電圧を前記電極に印加し、前記第３色光源を点灯して前記色情報に含まれる前記第３原色の色成分に応じた電圧を前記電極に印加する、
（３）に記載の表示装置である。
【０１６１】
（５）開示される発明の一態様は、
前記駆動部は、前記色情報に含まれる色成分ごとに、
前記色成分に対応する前記色光源を点灯して前記光変調層の平面領域に前記色成分の光を入射するとともに、前記表示単位の電極への電圧印加を順次行う、
（３）または（４）に記載の表示装置である。
【０１６２】
（６）開示される発明の一態様は、
前記駆動部は、前記色光源の光が入射する入射方向に沿って並ぶ前記表示単位を含む表示単位群ごとに、
前記色情報に含まれる色成分に対応する前記色光源を点灯して前記光変調層の前記表示単位群の領域に前記色成分の光を入射するとともに、前記表示単位群に含まれる前記表示単位の電極への電圧印加を順次行う、
（３）または（４）に記載の表示装置である。
【０１６３】
（７）開示される発明の一態様は、
前記駆動部は、駆動対象である第１の表示単位群に隣接する第２の表示単位群に対応する前記光源を、前記第１の表示単位群と同じ色で点灯するか、または消灯する、
（６）に記載の表示装置である。
【０１６４】
（８）開示される発明の一態様は、
前記電極は、前記一対の透明基板の一方の透明基板の平面内の一方向に延在する帯状形状を有する複数の第１電極と、前記一対の透明基板の他方の透明基板の平面内の前記第１電極が延在する方向と交差する方向に延在する帯状形状を有する複数の第２電極と、を有し、前記第１電極と前記第２電極とが交差する部分に前記表示単位が形成され、
前記駆動部は、前記第１電極と前記第２電極とを順次駆動する単純マトリクス駆動制御を行う、
（３）乃至（７）のいずれかに記載の表示装置である。
【０１６５】
（９）開示される発明の一態様は、
前記光源と前記光変調層との間に、前記光変調層に入射する前記光源の光の拡散を防止する入射光拡散防止部を備える、
（１）乃至（８）のいずれかに記載の表示装置である。
【０１６６】
（１０）開示される発明の一態様は、
前記透明基板に、前記光変調層内を進む前記光源の光の拡散を防止する層内光拡散防止部を備え、
前記層内光拡散防止部は、前記光変調層内に入射した前記光源の光の進む方向に沿って設けられる、
（１）乃至（９）のいずれかに記載の表示装置である。
【０１６７】
（１１）開示される発明の一態様は、
前記一対の透明基板と、前記光変調層と、前記光源と、を有する第１の表示パネルと第２の表示パネルとを重ねてなり、
前記駆動部は、前記第１の表示パネルにおいて前記電極に順次電圧を印加する第１スキャンラインの位置と、前記第２の表示パネルにおいて駆動する前記電極に順次電圧を印加する第２スキャンラインの位置と、をずらして前記第１の表示パネルと、前記第２の表示パネルとを同期駆動する、
（３）乃至（９）のいずれかに記載の表示装置である。
【０１６８】
（１２）開示される発明の一態様は、
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記透明基板の外側から前記光変調層に所定の色の光を入射する外部光源と、
表示領域の色情報を取得し、前記色情報に基づいて、前記外部光源の点灯と、前記電極への電圧印加とを同期駆動する駆動部と、
を有し、
前記光変調層は、前記電場が生じていないときは前記光源から入射した入射光を透過し、前記電場が生じているときは前記入射光を散乱して前記透明基板に射出する、
表示装置である。
【０１６９】
（１３）開示される発明の一態様は、
前記光変調層の側面から前記光変調層に所定の色の光を入射する光源を有し、
前記駆動部は、前記色情報に基づいて、前記外部光源の点灯と、前記光源の点灯と、前記電極への電圧印加とを同期駆動する、
（１２）に記載の表示装置である。
【０１７０】
（１４）開示される発明の一態様は、
離間して対向配置された一対の透明基板と、前記一対の透明基板の間に配置され、所定の屈折率異方性を有する第１光変調素子と第２光変調素子を備え、前記透明基板に設けられた電極によって生じる電場に対する前記第２光変調素子の応答性が前記電場に対する前記第１光変調素子の応答性より相対的に高く形成されるとともに、前記電場に対する応答時の前記第２光変調素子の傾斜方位を揃えた光変調層と、をそれぞれ備えた第１の表示パネルと第２の表示パネルとが、前記第１の表示パネルの前記傾斜方位と、前記第２の表示パネルの前記傾斜方位を同じ方向にして重ねて配置されてなり、
前記第１の表示パネルと前記第２の表示パネルは、
前記電場が生じていないときは入射した入射光を透過し、
前記電場が生じているときは、前記傾斜方位と偏光方向が同じ前記入射光成分を透過し、前記傾斜方位と偏光方向が異なる前記入射光成分を散乱して前記傾斜方位に応じた方向に偏光した偏光光を前記透明基板に射出する、
表示装置である。
【０１７１】
（１５）開示される発明の一態様は、
前記第１の表示パネルは、前記光変調層の側面から前記光変調層に所定の色の光を入射する光源を有して前記第２の表示パネルの裏面に配置される、
（１４）に記載の表示装置である。
【０１７２】
（１６）開示される発明の一態様は、
前記第１の表示パネルと、前記第２の表示パネルとの間に、前記入射光の偏光面を変える位相差板を有する、
（１４）または（１５）に記載の表示装置である。
【０１７３】
（１７）開示される発明の一態様は、
所定の偏光方向に偏光する偏光光を出力する外部光源を有し、
駆動部は、色情報に基づいて、前記外部光源の点灯と、前記光源の点灯と、前記電極への電圧印加とを同期駆動する、
（１４）乃至（１６）のいずれかに記載の表示装置である。
【０１７４】
（１８）開示される発明の一態様は、
前記外部光源と前記光変調層との間に、前記外部光源から射出された光の偏光方向を回転させる素子を備えた、
（１７）に記載の表示装置である。
【０１７５】
（１９）開示される発明の一態様は、
離間して対向配置された一対の透明基板と、
前記一対の透明基板の間に配置され、所定の屈折率異方性を有する第１光変調素子と第２光変調素子を備え、前記透明基板に設けられた電極によって生じる電場に対する前記第２光変調素子の応答性が前記電場に対する前記第１光変調素子の応答性より相対的に高く形成されるとともに、前記電場に対する応答時の前記第２光変調素子の傾斜方位を揃えた光変調層と、
を有し、
前記光変調層は、前記電場が生じていないときは前記入射光を透過し、
前記電場が生じているときは、前記傾斜方位と偏光方向が同じ前記入射光成分を透過し、前記傾斜方位と偏光方向が異なる前記入射光成分を散乱して前記傾斜方位に応じた方向に偏光した偏光光を前記透明基板に射出する、
表示装置である。
【０１７６】
（２０）開示される発明の一態様は、
前記光変調層は、高分子材料に液晶分子が分散された層である、
（１）乃至（１９）に記載の表示装置である。
【符号の説明】
【０１７７】
１・・・表示装置、  ２，２ａ，２ｂ・・・透明基板、  ４・・・光変調層、  ４ａ・・・第１光変調素子、  ４ｂ・・・第２光変調素子、  ８・・・光源、  １０・・・表示装置、  ２０・・・表示パネル、  ２２・・・下側透明基板、  ２３・・・上側透明基板、  ２４・・・導光パターン、  ２５・・・シリンドリカルパターン、  ３０・・・パネル駆動回路、  ３１・・・下側電極、  ３２・・・上側電極、  ４０・・・サイド光源、  ４１，４２，４３，４４，４５，４６，４７，４８，４９・・・光源ユニット、  ５０・・・光源駆動回路、  ６０・・・画像出力部、  ７０・・・同期駆動部、  ７１・・・タイミング生成部、  ７２・・・表示セル駆動信号生成部、  ７３・・・光源駆動信号生成部、  ８０・・・光変調層、  ８１・・・液晶性モノマー、  ８２・・・液晶分子、  ２４０・・・外部光源、  ２５０・・・外部光源駆動部
【図１】
0006654014.tif 000002
【図２】
0006654014.tif 000003
【図３】
0006654014.tif 000004
【図４】
0006654014.tif 000005
【図５】
0006654014.tif 000006
【図６】
0006654014.tif 000007
【図７】
0006654014.tif 000008
【図８】
0006654014.tif 000009
【図９】
0006654014.tif 000010
【図１０】
0006654014.tif 000011
【図１１】
0006654014.tif 000012
【図１２】
0006654014.tif 000013
【図１３】
0006654014.tif 000014
【図１４】
0006654014.tif 000015
【図１５】
0006654014.tif 000016
【図１６】
0006654014.tif 000017
【図１７】
0006654014.tif 000018
【図１８】
0006654014.tif 000019
【図１９】
0006654014.tif 000020
【図２０】
0006654014.tif 000021
【図２１】
0006654014.tif 000022
【図２２】
0006654014.tif 000023
【図２３】
0006654014.tif 000024